(57)【特許請求の範囲】
【請求項１】
ロック状態であるロック部が玩具の第１の形状を維持して玩具に内在されたアイテムが固定されるようにし、前記ロック部が任意のロック解除手段を介してロック状態から解除されると、前記第１の形状から第２の形状に変形し、前記内在されたアイテムの固定状態が解除されて前記アイテムが外部に排出されるようにした変形玩具であって、
内部に収納空間が形成された複数のハウジングが折り畳み可能に配設され、第１の形状及び第２の形状のうちのいずれか一方の形状を維持する上部ハウジングと、
前記上部ハウジングの下部に配設され、前記上部ハウジングが第１の形状を維持するように支持する下部ハウジングと、
前記下部ハウジングに支持台ヒンジ及び回転軸を介して回転可能に配設され、前記回転軸に配設されたばねの弾性力により回転し、前記アイテムを加圧して外部に投擲する投擲部と、
前記下部ハウジングに配設され、前記上部ハウジングが第２の形状に変形すると動作し、前記投擲部が回転するようにロックを解除するラッチ部と、
前記上部ハウジングに配設され、前記ロック解除手段と磁力を形成し、前記上部ハウジングが前記下部ハウジングから分離されて第２の形状になるようにロック解除位置に変位するロック部と、
を備えることを特徴とする、変形玩具。
【請求項２】
前記変形玩具は、電動可能な自動車、キャラクタ、物品、動物、人形形状のうちのいずれか１つであることを特徴とする、請求項１に記載の変形玩具。
【請求項３】
ロック状態であるロック部が玩具の第１の形状を維持して玩具に内在されたアイテムが固定されるようにし、前記ロック部が任意のロック解除手段を介してロック状態から解除されると、前記第１の形状から第２の形状に変形し、前記内在されたアイテムの固定状態が解除されて前記アイテムが外部に排出されるようにした変形玩具であって、
前記変形玩具は、内部に収納空間が形成された複数のハウジングが折り畳み可能に配設され、第１の形状及び第２の形状のうちのいずれか一方の形状を維持する上部ハウジングと、
前記上部ハウジングの下部に配設され、前記上部ハウジングが第１の形状を維持するように支持する下部ハウジングと、
前記下部ハウジングに支持台ヒンジ及び回転軸を介して回転可能に配設され、前記回転軸に配設されたばねの弾性力により回転して前記アイテムを加圧して外部に投擲する投擲部と、
前記下部ハウジングに配設され、前記上部ハウジングが第２の形状に変形すると動作して、前記投擲部が回転するようにロックを解除するラッチ部と、
前記上部ハウジングに配設され、前記上部ハウジングが下部ハウジングから分離されて第２の形状になるように、前記ロック解除手段との物理的な接触によりロック解除位置に変位するロック部と、
を備えることを特徴とする、変形玩具。
【請求項４】
前記変形玩具は、物理的に接触した前記ロック解除手段と磁力を形成し、前記上部ハウジングの底面に付着するようにする磁石部をさらに備えることを特徴とする、請求項３に記載の変形玩具。
【請求項５】
前記変形玩具は、前記上部ハウジングと前記投擲部との間に連結され、第２の形状に変形した前記上部ハウジングが第１の形状に復元されると、連結された前記投擲部を引き寄せて元の位置に戻るようにする復元手段をさらに備えることを特徴とする、請求項１〜４のいずれか一項に記載の変形玩具。
【請求項６】
前記変形玩具は、前記上部ハウジングの内側に配設され、第１の形状に復元される前記上部ハウジングの一部が、前記投擲部の上部を加圧して元の位置に戻るように密着する補助レバーをさらに備えることを特徴とする、請求項５に記載の変形玩具。
【請求項７】
ロック状態であるロック部が玩具の第１の形状を維持して玩具に内在されたアイテムが固定されるようにし、前記ロック部が任意のロック解除手段を介してロック状態から解除されると、前記第１の形状から第２の形状に変形し、前記内在されたアイテムの固定状態が解除されて前記アイテムが外部に排出されるようにした変形玩具であって、
前記変形玩具は、内部に収納空間を形成した上部ハウジングと、
前記上部ハウジングの下部にアイテムの収納空間を形成した下部ハウジングと、
前記下部ハウジングの収納空間を覆い、前記下部ハウジングの下部に加圧部回転軸を介して回転可能に配設され、前記上部ハウジングおよび前記下部ハウジングが第１の形状から第２の形状に変形するように、ばねの弾性力により床面を加圧する加圧部と、
前記下部ハウジングの一方の側に移動可能に配設され、前記加圧部の位置に応じて移動し、吐出部をロックまたはロック解除する第１のロック部と、
前記下部ハウジングに配設されて前記加圧部を固定し、前記ロック解除手段との磁力による接着、または前記ロック解除手段との物理的な接触のうちの少なくとも一方によりロック解除位置に変位して、前記加圧部が回転するように、ロック解除する第２のロック部と、
前記下部ハウジングの収納空間に配設され、前記加圧部によって前記上部ハウジング及び前記下部ハウジングが反転して前記第２の形状になると、前記第１のロック部との噛合状態が解除されて、前記アイテムが外部に排出されるように加圧する前記吐出部と、
を備え、
前記第２のロック部は、上下方向に移動する第２のロック部胴体と、
前記第２のロック部胴体と噛合して前記第２のロック部胴体の上下方向に移動するにつれて水平方向に移動する摺動部と、
前記第２のロック部胴体の両側面に配設され、前記摺動部と噛合して水平方向に移動するように加圧する第２のロック部傾斜部と、
前記摺動部の一方の側に、上方に向かって突出して前記第２のロック部傾斜部と噛合する一対の摺動部傾斜部と、
前記摺動部傾斜部の他方の側に所定の長さだけ延長されて、前記加圧部がロックまたはロック解除されるように支持する摺動部ラッチと、
前記摺動部が前記第２のロック部胴体の一方の側に所定の位置に維持されるように弾性力を提供するばねと、
前記第２のロック部胴体の下部に配設され、前記ロック解除手段と接着するように、前記第２のロック部胴体を下方に向かって移動させる磁石と、
を備えることを特徴とする、変形玩具。
【請求項８】
ロック状態であるロック部が玩具の第１の形状を維持して玩具に内在されたアイテムが固定されるようにし、前記ロック部が任意のロック解除手段を介してロック状態から解除されると、前記第１の形状から第２の形状に変形し、前記内在されたアイテムの固定状態が解除されて前記アイテムが外部に排出されるようにした変形玩具であって、
前記変形玩具は、内部に収納空間が形成された上部ハウジングと、
前記上部ハウジングに水平方向に回転可能に配設され、第２のロック部が動作してロック状態から解除されると、前記上部ハウジングから分離されて加圧部を動作可能にする複数のフェンダ部と、
前記上部ハウジングの下部にアイテムの収納空間が形成された下部ハウジングと、
前記下部ハウジングの収納空間を覆い、前記下部ハウジングの下部に加圧部回転軸を介して回転可能に配設され、前記上部ハウジングおよび前記下部ハウジングが第１の形状から第２の形状に変形するように、ばねの弾性力により床面を加圧する前記加圧部と、
前記下部ハウジングの一方の側に移動可能に配設され、前記加圧部の位置に応じて移動して吐出部をロックまたはロック解除させる第１のロック部と、
前記下部ハウジングに配設されて前記加圧部を固定し、前記ロック解除手段との磁力による接着、または前記ロック解除手段との物理的な接触のうちの少なくとも一方により、ロック解除位置に変位して前記加圧部が回転するようにロック解除する第２のロック部と、
前記下部ハウジングの収納空間に配設され、前記加圧部によって前記上部ハウジング及び前記下部ハウジングが反転して第２の形状になると、前記第１のロック部との噛合状態が解除されて前記アイテムが外部に排出されるように加圧する前記吐出部と、
を備えることを特徴とする、変形玩具。
【請求項９】
前記第２のロック部は上下方向に移動可能に配設され、前記フェンダ部が前記上部ハウジングの両側に固定されるように、前記フェンダ部と噛合する第２のロック部のラッチが形成された第２のロック部胴体と、
前記第２のロック部胴体と前記下部ハウジングとの間に配設されて、前記第２のロック部胴体が所定の位置に維持されるように弾性力を提供する第２のロック部ばねと、
前記第２のロック部胴体の下部に配設され、前記ロック解除手段と接着し、前記第２のロック部胴体を下方に向かって移動させる磁石と、
を備えることを特徴とする、請求項８に記載の変形玩具。
【請求項１０】
ロック状態であるロック部が玩具の第１の形状を維持して玩具に内在されたアイテムが固定されるようにし、前記ロック部が任意のロック解除手段を介してロック状態から解除されると、前記第１の形状から第２の形状に変形し、前記内在されたアイテムの固定状態が解除されて前記アイテムが外部に排出されるようにした変形玩具であって、
前記変形玩具は、内部に収納空間が形成されたハウジングと、
前記ハウジングの下部にハウジングヒンジ及び第１の回転軸を介して回転可能に配設され、前記第１の回転軸に配設された第１のばねの弾性力により床面を加圧して、前記ハウジングが第１の形状から第２の形状に変形させる加圧部と、
前記加圧部の一方の側に加圧部第２のヒンジ及び第２の回転軸を介して回転可能に配設され、前記第２の回転軸に配設された第２のばねの弾性力によりアイテムを加圧して、前記アイテムが前記ハウジングの外部に排出されるように投擲する投擲部と、
前記ハウジングに配設され、ロック解除手段との磁力による接着、または前記ロック解除手段との物理的な接触のうちの少なくとも一方によりロック解除位置に変位して、前記加圧部が回転するように、ロック解除するロック部と、
を備えることを特徴とする、変形玩具。
【請求項１１】
前記ハウジングは、前記投擲部が所定時間経過後に回転するように、前記ハウジングヒンジから突出し、前記投擲部の一方の側面を加圧するハウジングラッチをさらに備えることを特徴とする、請求項１０に記載の変形玩具。
【請求項１２】
前記加圧部は、アイテムの両側面と密着して前記アイテムを固定する一対のアイテム支持部をさらに備えることを特徴とする、請求項１０又は１１に記載の変形玩具。
【請求項１３】
前記加圧部は、上面に向かって所定の長さだけ延長された突起部をさらに備えることを特徴とする、請求項１０〜１２のいずれか一項に記載の変形玩具。
【請求項１４】
前記投擲部は、磁場が形成されるように磁性体及び磁石のうちのいずれか一方を含む投擲部磁性体、投擲部胴体を貫通する投擲部貫通孔、及び投擲部胴体の上面に向かって所定の長さだけ延長された投擲部突起のうちのいずれか１つが追加形成されたことを特徴とする、請求項１０〜１３のいずれか一項に記載の変形玩具。
【請求項１５】
前記ロック部は、ロック部胴体と、
前記ロック部胴体の両側面に傾斜面が形成されたロック部傾斜面と、
前記ロック部傾斜面と噛合する摺動部傾斜面が配設され、前記ロック部胴体が移動するにつれて前記加圧部がロックまたはロック解除されるように変位する摺動部と、
前記ロック部胴体に配設され、前記ロック解除手段と磁場を形成して前記ロック部胴体が移動するように駆動力を提供する磁石部と、
前記摺動部が所定の位置に維持されるように弾性力を提供する第３のばねと、
を備えることを特徴とする、請求項１０〜１４のいずれか一項に記載の変形玩具。
【請求項１６】
前記ロック解除手段は、内部に磁性体が配設されたことを特徴とする、請求項１〜１５のいずれか一項に記載の変形玩具。
【請求項１７】
前記アイテムは、動物、物品、人形及び任意のキャラクタのうちのいずれか１つを有する部材またはカードであることを特徴とする、請求項１〜１６のいずれか一項に記載の変形玩具。
【請求項１８】
前記アイテムは、アイテム胴体と、前記アイテム胴体に複数のアイテムヒンジを介して折り畳み可能に配設された複数の回動部材と、を備え、
前記回動部材がアイテムヒンジを中心として拡開されるように、弾性力を提供する複数の第４のばねと、
前記アイテムが折り畳み状態の第１の形状及び拡開状態の第２の形状のうちのいずれか一方を維持するように変位するアイテムロック部と、
をさらに備えることを特徴とする、請求項１〜１７のいずれか一項に記載の変形玩具。
【請求項１９】
前記アイテムは、磁場を形成するための磁性体及び磁石のうちの少なくとも一方からなるアイテム磁石部をさらに備えることを特徴とする、請求項１〜１８のいずれか一項に記載の変形玩具。
【請求項２０】
前記アイテムは、アイテム胴体と、前記アイテム胴体に複数のアイテムヒンジを介して折り畳み可能に配設した複数の回動部材と、を備え、
前記回動部材が前記アイテムヒンジを中心として拡開されるように弾性力を提供する第４のばねと、
前記複数の回動部材上に同心軸が形成されるように穿孔した結合孔と、
をさらに備えることを特徴とする、請求項１〜１９のいずれか一項に記載の変形玩具。
【発明の詳細な説明】
【技術分野】
【０００１】
本発明は、変形玩具に係り、さらに詳しくは、第１の形状の玩具が任意のロック
解除手段を介して第２の形状に変形して内在されたアイテムが排出されるようにし、前記変形された第２の形状から第１の形状への復元を容易に行えるようにした変形玩具に関する。
【背景技術】
【０００２】
変形玩具は、ロボット形状または自動車形状などを呈するいろいろな玩具胴体を備え、これを組み立ててロボットまたは自動車玩具に変形させるものであり、これは、１つの玩具で様々な形状を表現するので、子供たちが玩具を自分で組み立てながら変形させることにより、様々な遊びを楽しむことができるという利点がある。
【０００３】
一方、一般に知られている子供用のカード遊びは、四角形のカード表面または裏面に遊び用絵柄またはキャラクタなどが印刷されており、所定のゲームのルールに基づいて、前記絵柄またはキャラクタが印刷されたカードを裏返して確認することにより行われる。
【０００４】
このような子供用のカード遊びは、カード利用者が床面にカードを並べ、その後、そのカードを手で裏返して確認する過程を経て行われるものであり、遊びが単純であるため、子供の場合、簡単に興味を失ってしまい、カードの表面に印刷された絵柄を集める機能以外は別の機能がない。
【０００５】
韓国公開特許番号第１０−２０１３−００９７６１５号（発明の名称：変形自動車玩具及びそれを用いた遊び装置）には、車両の底面に任意のカードが付着すると、その付着したカードの底面が見えるように裏返される変形自動車玩具が開示されている。
【先行技術文献】
【特許文献】
【０００６】
【特許文献１】韓国公開特許第１０−２０１３−００９７６１５号公報
【発明の概要】
【発明が解決しようとする課題】
【０００７】
このような不都合を解消するために、本発明は、第１の形状の玩具が任意のロック解除手段を介して第２の形状に変形し、内在されたアイテムが排出され、前記変形した第２の形状から第１の形状への復元を容易に行える変形玩具を提供することを目的とする。
【課題を解決するための手段】
【０００８】
上記目的を達成するために、本発明に係る変形玩具は、ロック状態であるロック部が玩具の第１の形状を維持して玩具に内在されたアイテムが固定されるようにし、前記ロック部が任意のロック解除手段（２００）を介してロック状態から解除されると、前記第１の形状から第２の形状に変形し、前記内在されたアイテムの固定状態が解除されて前記アイテムが外部に排出されるようにしたことを特徴とする。
【０００９】
また、本発明に係る前記変形玩具は、電動可能な自動車、キャラクタ、物品、動物、人形形状のうちのいずれか１つであることを特徴とする。
【００１０】
また、本発明に係る前記変形玩具は、内部に収納空間が形成された複数のハウジング（１１０’、１１０”）が折り畳み可能に配設され、第１の形状及び第２の形状のうちのいずれか一方の形状を維持する上部ハウジング（１１０）と；前記上部ハウジング（１１０）の下部に配設され、前記上部ハウジング（１１０）が第１の形状を維持するように支持する下部ハウジング（１２０）と；前記下部ハウジング（１２０）に支持台ヒンジ（１２４）及び回転軸（１２６）を介して回転可能に配設され、前記回転軸（１２６）に配設されたばね（１２７）の弾性力により回転し、前記アイテムを加圧して外部に投擲する投擲部（１３０）と；前記下部ハウジング（１２０）に配設され、前記上部ハウジング（１１０）が第２の形状に変形すると動作し、前記投擲部（１３０）が回転するようにロックを解除するラッチ部（１４０）と；前記上部ハウジング（１１０）に配設され、前記ロック解除手段（２００）と磁力を形成し、前記上部ハウジング（１１０）が下部ハウジング（１２０）から分離されて第２の形状になるようにロック解除位置に変位するロック部（１６０）と；を備えることを特徴とする。
【００１１】
また、本発明に係る前記変形玩具は、内部に収納空間が形成された複数のハウジング（１１０’、１１０”）が折り畳み可能に配設され、第１の形状及び第２の形状のうちのいずれか一方の形状を維持する上部ハウジングと（１１０）と；前記上部ハウジング（１１０）の下部に配設され、前記上部ハウジング（１１０）が第１の形状を維持するように支持する下部ハウジング（１２０）と；前記下部ハウジング（１２０）に支持台ヒンジ（１２４）及び回転軸（１２６）を介して回転可能に配設され、前記回転軸（１２６）に配設されたばね（１２７）の弾性力により回転して前記アイテムを加圧して外部に投擲する投擲部（１３０）と；前記下部ハウジング（１２０）に配設され、前記上部ハウジング（１１０）が第２の形状に変形すると動作して、前記投擲部（１３０）が回転するようにロックを解除するラッチ部（１４０）と；前記上部ハウジング（１１０）に配設され、前記上部ハウジング（１１０）が下部ハウジング（１２０）から分離されて第２の形状になるように、前記ロック解除手段（２００）との物理的な接触によりロック解除位置に変位するロック部（１６０ｇ）と；を備えることを特徴とする。
【００１２】
また、本発明に係る前記変形玩具は、前記上部ハウジング（１１０）と投擲部（１３０）との間に連結され、第２の形状に変形した前記上部ハウジング（１１０）が第１の形状に復元されると、連結された前記投擲部（１３０）を引き寄せて元の位置に戻るようにする復元手段（１５０）をさらに備えることを特徴とする。
【００１３】
また、本発明に係る前記変形玩具は、前記上部ハウジング（１１０）の内側に配設され、第１の形状に復元される上部ハウジング（１１０）の一部が、前記投擲部（１３０）の上部を加圧して元の位置に戻るように密着する補助レバー（１１８）をさらに備えることを特徴とする。
【００１４】
また、本発明に係る前記変形玩具は、内部に収納空間を形成した上部ハウジング（１１０ａ）と；前記上部ハウジング（１１０ａ）の下部にアイテムの収納空間を形成した下部ハウジング（１２０Ａ）と；前記下部ハウジング（１２０ａ）の収納空間を覆い、前記下部ハウジング（１２０ａ）の下部に加圧部回転軸（１３１ａ）を介して回転可能に配設され、前記上部および下部ハウジング（１１０ａ、１２０ａ）が第１の形状から第２の形状に変形するように、ばね（１３２a）の弾性力により床面を加圧する加圧部（１３０ａ）と；前記下部ハウジング（１２０ａ）の一方の側に移動可能に配設され、前記加圧部（１３０ａ）の位置に応じて移動し、吐出部（１６０ａ）をロックまたはロック解除する第１のロック部（１４０ａ）と；前記下部ハウジング（１２０ａ）に配設されて前記加圧部（１３０ａ）を固定し、ロック解除手段（２００）との磁力による接着、またはロック解除手段（２００）との物理的な接触のうちの少なくとも一方によりロック解除位置に変位して、前記加圧部（１３０ａ）が回転するように、ロック解除する第２のロック部（１５０ａ）と；前記下部ハウジング（１２０ａ）の収納空間に配設され、前記加圧部（１３０ａ）によって上部及び下部ハウジング（１１０ａ、１２０ａ）が反転して前記第２の形状になると、前記第１のロック部（１４０ａ）との噛合状態が解除されて、前記アイテムが外部に排出されるように加圧する吐出部（１６０ａ）と；を備えることを特徴とする。
【００１５】
また、本発明に係る前記第２のロック部は、上下方向に移動する第２のロック部胴体と；前記第２のロック部胴体と噛合して前記第２のロック部胴体の上下方向に移動するにつれて水平方向に移動する摺動部と；前記第２のロック部胴体の両側面に配設され、前記摺動部と噛合して水平方向に移動するように加圧する第２のロック部傾斜部と；前記摺動部の一方の側に、上方に向かって突出して前記第２のロック部傾斜部と噛合する一対の摺動部傾斜部と；前記摺動部傾斜部の他方の側に所定の長さだけ延長されて、前記加圧部がロックまたはロック解除されるように支持する摺動部ラッチと；前記傾斜部が第２のロック部胴体の一方の側に所定の位置に維持されるように弾性力を提供するばねと；前記第２のロック部胴体の下部に配設され、アイテムと接着するように、前記第２のロック部胴体を下方に向かって移動させる磁石と；を備えることを特徴とする。
【００１６】
また、本発明に係る前記変形玩具は、内部に収納空間が形成された上部ハウジング（１１０ｂ）と；前記上部ハウジング（１１０ｂ）に水平方向に回転可能に配設され、第２のロック部（１５０ｂ）が動作してロック状態から解除されると、前記上部ハウジング（１１０ｂ）から分離されて加圧部（１３０ｂ）を動作可能にする複数のフェンダ部（１１１ｂ）と；前記上部ハウジング（１１０ｂ）の下部にアイテムの収納空間が形成された下部ハウジング（１２０ｂ）と；前記下部ハウジング（１２０ｂ）の収納空間を覆い、前記下部ハウジング（１２０ｂ）の下部に加圧部回転軸（１３１ｂ）を介して回転可能に配設され、前記上部および下部ハウジング（１１０ｂ、１２０ｂ）が第１の形状から第２の形状に変形するように、ばね（１３２ｂ）の弾性力により床面を加圧する加圧部（１３０ｂ）と；前記下部ハウジング（１２０ｂ）の一方の側に移動可能に配設され、前記加圧部（１３０ｂ）の位置に応じて移動して吐出部（１６０ｂ）をロックまたはロック解除させる第１のロック部（１４０ｂ）と；前記下部ハウジング（１２０ｂ）に配設されて前記加圧部（１３０ｂ）を固定し、ロック解除手段（２００）との磁力による接着、またはロック解除手段（２００）との物理的な接触のうちの少なくとも一方により、ロック解除位置に変位して前記加圧部（１３０ｂ）が回転するようにロック解除する第２のロック部（１５０ｂ）と；前記下部ハウジング（１２０ｂ）の収納空間に配設され、前記加圧部（１３０ｂ）によって上部及び下部ハウジング（１１０ｂ、１２０ｂ）が反転して第２の形状になると、前記第１のロック部（１４０ｂ）との噛合状態が解除されて前記アイテムが外部に排出されるように加圧する吐出部（１６０ｂ）と；を備えることを特徴とする。
【００１７】
また、本発明に係る前記第２のロック部（１５０ｂ）は上下方向に移動可能に配設され、前記フェンダ部（１１１ｂ）が上部ハウジング（１１０ｂ）の両側に固定されるように、前記第フェンダ部（１１１ｂ）と噛合する第２のロック部のラッチ（１５２ｂ）が形成された第２のロック部胴体（１５１ｂ）と；前記第２のロック部胴体（１５１ｂ）と下部ハウジング（１２０ｂ）との間に配設されて、前記第２のロック部胴体（１５１ｂ）が所定の位置に維持されるように弾性力を提供する第２のロック部ばね（１５３ｂ）と；前記第２のロック部胴体（１５１ｂ）の下部に配設され、前記アイテムと接着し、前記第２のロック部胴体（１５１ｂ）を下方に向かって移動させる磁石（１５４ｂ）と；を備えることを特徴とする。
【００１８】
また、本発明に係る前記変形玩具は、内部に収納空間が形成されたハウジング（１１０ｃ）と；前記ハウジング（１１０ｃ）の下部にハウジングヒンジ（１１４ｃ）及び第１の回転軸（１３０ｃ）を介して回転可能に配設され、前記第１の回転軸（１３０ｃ）に配設された第１のばね（１３１ｃ）の弾性力により床面を加圧して、前記ハウジング（１１０ｃ）が第１の形状から第２の形状に変形させる加圧部（１２０ｃ、１２０ｅ）と；前記加圧部（１２０ｃ、１２０ｅ）の一方の側に加圧部第２のヒンジ（１２２ｃ）及び第２の回転軸（１５０ｃ）を介して回転可能に配設され、前記第２の回転軸（１５０ｃ）に配設された第２のばね（１５１ｃ）の弾性力によりアイテムを加圧して、前記アイテムが前記ハウジング（１１０ｃ）の外部に排出されるように投擲する投擲部（１４０ｃ、１４０ｄ、１４０ｅ、１４０ｆ）と；前記ハウジング（１１０ｃ）に配設され、ロック解除手段（２００）との磁力による接着、またはロック解除手段（２００）との物理的な接触のうちの少なくとも一方によりロック解除位置に変位して、前記加圧部（１２０ｃ、１２０ｅ）が回転するように、ロック解除するロック部（１６０ｃ）と；を備えることを特徴とする。
【００１９】
また、本発明に係る前記ハウジング（１１０ｃ）は、投擲部（１４０ｃ、１４０ｄ、１４０ｅ、１４０ｆ）が所定時間経過後に回転するように、前記ハウジングヒンジ（１１４ｃ）から突出し、前記投擲部（１４０ｃ、１４０ｄ、１４０ｅ、１４０ｆ）の一方の側面を加圧するハウジングラッチ（１１５ｃ）をさらに備えることを特徴とする。
【００２０】
また、本発明に係る前記加圧部（１２０ｃ、１２０ｅ）は、アイテムの両側面と密着して前記アイテムを固定する一対のアイテム支持部（１２４ｃ）をさらに備えることを特徴とする。
【００２１】
また、本発明に係る前記投擲部は（１４０ｄ、１４０ｅ、１４０ｆ）は、磁場が形成されるように磁性体及び磁石のうちのいずれか一方を含む投擲部磁性体（１４３ｄ）、投擲部胴体を貫通する投擲部貫通孔（１４４ｅ）、及び投擲部胴体の上面に向かって所定の長さだけ延長された投擲部突起（１４５ｆ）のうちのいずれか１つが追加形成されたことを特徴とする。
【００２２】
また、本発明に係る前記ロック部（１６０ｃ）は、ロック部胴体（１６１ｃ）と；前記ロック部胴体（１６１ｃ）の両側面に傾斜面が形成されたロック部傾斜面（１６２ｃ）と；前記ロック部傾斜面（１６２ｃ）と噛合する摺動部傾斜面（１６４ｃ）が配設され、前記ロック部胴体（１６１ｃ）が移動するにつれて加圧部（１２０ｃ、１２０ｅ）がロックまたはロック解除されるように変位する摺動部（１６３ｃ）と；前記ロック部胴体（１６１ｃ）に配設され、ロック解除手段（２００）と磁場を形成して前記ロック部胴体（１６１ｃ）が移動するように駆動力を提供する磁石部（１６５ｃ）と；前記摺動部（１６３ｃ）が所定の位置に維持されるように弾性力を提供する第３のばね（１６６ｃ）と；を備えることを特徴とする。
【００２３】
また、本発明に係る前記ロック解除手段（２００）は、内部に磁性体（２１０）が配設されたことを特徴とする。
【００２４】
また、本発明に係る前記アイテムは、動物、物品、人形及び任意のキャラクタのうちのいずれか１つを有する部材またはカードであることを特徴とする。
【００２５】
また、本発明に係る前記アイテムは、アイテム胴体（３１０）と、前記アイテム胴体（３１０）に多数のアイテムヒンジ（３１１、３３１、３３２、３５１、３６１）を介して折り畳み可能に配設された多数の回動部材と、を備え、前記回動部材がアイテムヒンジ（３１１、３３１、３３２、３５１、３６１）を中心として拡開されるように、弾性力を提供する多数の第４のばね（３３１ａ）と；前記アイテムが折り畳み状態の第１の形状及び拡開状態の第２の形状のうちのいずれか一方を維持するように変位するアイテムロック部（３７０、３７０’）と；をさらに備えることを特徴とする。
【００２６】
また、本発明に係る前記アイテムは、磁場を形成するための磁性体及び磁石のうちの少なくとも一方からなるアイテム磁石部（３８０'）をさらに備えることを特徴とする。
【００２７】
また、本発明に係る前記アイテムは、アイテム胴体と、前記アイテム胴体に多数のアイテムヒンジを介して折り畳み可能に配設した多数の回動部材と、を備え、前記回動部材がアイテムヒンジ（３３１”）を中心として拡開されるように弾性力を提供する第４のばね（３３１ａ”）と；前記多数の回動部材上に同心軸が形成されるように穿孔した結合孔（３３０ａ”）と；をさらに備えることを特徴とする。
【発明の効果】
【００２８】
本発明は、第１の形状の玩具に任意のロック解除手段が付着すると、第２の形状に変形して内在されたアイテムが排出されるようにして、遊びへの興味をさらに高めることができるという利点がある。
【００２９】
また、本発明は、変形した第２の形状から第１の形状への復元を迅速に行うことができるという利点がある。
【図面の簡単な説明】
【００３０】
【図１】本発明に係る変形玩具を示す斜視図である。
【図２】本発明に係る変形玩具の第１の実施形態を示す斜視図である。
【図３】本発明の第１の実施形態に係る変形玩具の構成を示す分解斜視図である。
【図４】本発明の第１の実施形態に係る変形玩具の動作過程を示す例示図である。
【図５】本発明の第１の実施形態に係る変形玩具の動作過程を示す他の例示図である。
【図６】本発明の第１の実施形態に係る投擲部ロック手段を示す分解斜視図である。
【図７】本発明の第１の実施形態に係る変形玩具の動作過程を示すまた他の例示図である。
【図８】本発明に係る変形玩具の投擲用アイテムを示す斜視図である。
【図９】図８による投擲用アイテムの構造を示す断面図である。
【図１０】図８による投擲用アイテムの拡開状態を示す斜視図である。
【図１１】本発明の第２の実施形態に係る変形玩具の構成を示す分解斜視図である。
【図１２】本発明の第２の実施形態に係る変形玩具の動作過程を示す例示図である。
【図１３】本発明の第２の実施形態に係る変形玩具の動作過程を示す他の例示図である。
【図１４】本発明の第３の実施形態に係る変形玩具を示す斜視図である。
【図１５】本発明の第３の実施形態に係る変形玩具の構成を示す分解斜視図である
【図１６】本発明の第３の実施形態に係る変形玩具の構造を示す断面図である。
【図１７】本発明の第４の実施形態に係る変形玩具の構成を示す分解斜視図である。
【図１８】本発明の第４の実施形態に係る変形玩具の動作過程を示す斜視図である。
【図１９】本発明の第４の実施形態に係る変形玩具の動作過程を示す例示図である。
【図２０】本発明の第４の実施形態に係る変形玩具の動作過程を示す他の例示図である。
【図２１】本発明の第４の実施形態に係る変形玩具の動作過程を示すまた他の例示図である。
【図２２】本発明の第５の実施形態に係る変形玩具を示す斜視図である。
【図２３】本発明の第５の実施形態に係る変形玩具の投擲用アイテムの構造を示す断面図である。
【図２４】本発明の第５の実施形態に係る変形玩具の動作過程を示す例示図である。
【図２５】本発明の第６実施形態に係る変形玩具を示す斜視図である。
【図２６】本発明の第６の実施形態に係る変形玩具の投擲用アイテムの構造を示す断面図である。
【図２７】本発明の第６の実施形態に係る変形玩具の動作過程を示す例示図である。
【図２８】本発明の第７の実施形態に係る変形玩具を示す斜視図である。
【図２９】本発明の第７の実施形態に係る変形玩具の投擲用アイテムの構造を示す断面図である。
【図３０】本発明の第７の実施形態に係る変形玩具の動作過程を示す例示図である。
【図３１】本発明の第８の実施形態に係る変形玩具を示す分解斜視図である。
【図３２】本発明の第８の実施形態に係る変形玩具の動作過程を示す断面図である。
【図３３】本発明の第８の実施形態に係る変形玩具の動作過程を示す他の断面図である。
【図３４】本発明の第８の実施形態に係る変形玩具の動作過程を示す斜視図である。
【発明を実施するための形態】
【００３１】
以下、添付図面に基づいて、本発明に係る変形玩具の好適な実施形態について詳細に説明する。
【００３２】
（第１の実施形態）
図１は、本発明に係る変形玩具を示す斜視図であり、図２は、本発明に係る変形玩具の第１の実施形態を示す斜視図であり、図３は、本発明の第１の実施形態に係る変形玩具の構成を示す分解斜視図であり、図４は、本発明の第１の実施形態に係る変形玩具の動作過程を示す例示図であり、図５は、本発明の第１の実施形態に係る変形玩具の動作過程を示す他の例示図であり、図６は、本発明の第１の実施形態に係る投擲部ロック手段を示す分解斜視図であり、図７は、本発明の第１の実施形態に係る変形玩具の動作過程を示すまた他の例示図であり、図８は、本発明に係る変形玩具の投擲用アイテムを示す斜視図であり、図９は、図８による投擲用アイテムの構造を示す断面図であり、図１０は、図８による投擲用アイテムの展開状態を示す斜視図ある。
【００３３】
図１〜図１０に示すように、本発明の第１の実施形態に係る変形玩具１００は、ロック状態であるロック部１６０が玩具の第１の形状を維持して玩具１００に内在されたアイテム３００が固定されるようにし、前記ロック部１６０が任意のロック解除手段２００と付着してロック状態から解除されると、前記玩具１００が第１の形状から第２の形状に変形して、前記内在されたアイテム３００の固定状態が解除されて前記アイテム３００が外部に排出されるようにしたものである。本発明の第１の実施形態に係る変形玩具１００は、上部ハウジング１１０と、下部ハウジング１２０と、投擲部１３０と、ラッチ部１４０と、復元手段１５０と、ロック部１６０と、ロック解除手段２００と、アイテム３００と、を備える。
【００３４】
前記変形玩具１００は、電動可能な自動車、キャラクタ、物品、動物、人形の形状のうちのいずれか１つの形状を呈し、好ましくは、自動車形状である。
【００３５】
本実施形態においては、説明の便宜のために自動車形状に限定して説明するが、
本発明はこれに限定されるものではなく、電動可能な車輪を有するすべての形状を採用することができる。
【００３６】
前記上部ハウジング１１０は、内部に収納空間が形成されたハウジングであって、第１のハウジング１１０’及び第２のハウジング１１０”は、第１のハウジングヒンジ１１２'、第２のハウジングヒンジ１１２”及び回転軸１１３を介して折り畳み可能に配設された自動車形状の部材であり、好ましくは、第１の形状の自動車形状、もしくは、前記第１のハウジング１１０’が回転軸１１３を中心として上方に回動して直立した第２の形状のうちのいずれか一方の形状が維持されるものである。
【００３７】
また、前記第１のハウジング１１０’が回動できるように弾性力を提供するばね１１４が、回転軸１１３に配設される。
【００３８】
また、前記第１のハウジング１１０’は、投擲部１３が収納される第１の収納部１１１'と、ロック部１６０が配設される第２の収納部１１１”とに区切られ、前記第１の及び第２の収納部１１１’、１１１”の間には、貫通孔１１５が形成される。
【００３９】
また、前記第１のハウジング１１０’の一方の側には、前記第１のハウジング１１０'が回転軸１１３を中心として上方に回動する場合、投擲部１３０がロック状態からロック解除されるようにラッチ部１４０と接触して前記ラッチ部１４０を動作させるレバー１１６が、前記第１のハウジング１１０’の端部から所定の長さだけ延設される。
【００４０】
前記レバー１１６には、復元手段１５０の一端が連結されるハウジング結合孔１１７が配設される。
【００４１】
また、前記上部ハウジング１１０の内側には、上部ハウジング１１０が第１の形状を維持するように加圧するか、または、第２の形状から第１の形状に復元される場合、前記上部ハウジング１１０の一部が投擲部１３０の上部を加圧して元の位置に戻るように密着する補助レバー１１８が配設される。
【００４２】
前記下部ハウジング１２０は、上部ハウジング１１０の下部に配設され、前記上部ハウジング１１０に配設されたロック部１６０と噛合して前記上部ハウジング１１０が第１の形状を維持するように支持する構成要素である。下部ハウジング１２０は、板状の下部ハウジング胴体１２１と、前記下部ハウジング胴体１２１の上部に形成される係止溝１２２と、第１の支持台１２３と、第２の支持台１２５と、を備える。
【００４３】
前記下部ハウジング胴体１２１は、一方の側が上部ハウジング１１０の第２のハウジング１１０”と接合されて固定されることにより、第１のハウジング１１０’が回転軸１１３を中心として回転して第１の形状から第２の形状に変形できるように支持する。
【００４４】
前記係止溝１２２は、下部ハウジング胴体１２１の他方の側に配設されて、上部ハウジング１１０に配設されたロック部１６０と噛合して前記ロック部１６０をロック状態が維持されるように固定することにより、前記上部ハウジング１１０が第１の形状を維持できるようにする。
【００４５】
前記第１の支持台１２３は、下部ハウジング胴体１２１の上部に配設されて投擲部１３０が回転できるように支持する構成要素であって、上部には支持台ヒンジ１２４が形成され、前記投擲部１３０が回転可能に結合できるように回転軸１２６を介して結合される。
【００４６】
また、前記回転軸１２６には、前記投擲部１３０が回転軸１２６を中心として回転できるように弾性力を提供するばね１２７が配設される。
【００４７】
前記第２の支持台１２５は、下部ハウジング胴体１２１の上部でラッチ部１４０が動作可能なように支持する棒状の部材であって、前記第２の支持台１２５には、前記ラッチ部１４０が配設される第１の貫通孔１２５’と、復元手段１５０が貫通する第２の貫通孔１２５”とが形成される。
【００４８】
一方、下部ハウジング１２０は、ロック部１６０が配設される第２の収納部１１１”の底面に配設される補助ハウジング１２８を備える。
【００４９】
前記補助ハウジング１２８は、第２の収納部１１１”の底面に配設され、前記補助ハウジング１２８には、貫通孔１２８’と、ロック部１６０が上下方向に動作可能に配設されるようにした一対のガイド１２９とが配設される。前記ガイド１２９には、長手方向に沿って長孔１２９'が形成される。
【００５０】
前記投擲部１３０は、アイテム３００を収納できるように収納空間が形成された部材であって、投擲部ヒンジ１３１と下部ハウジング１２０に配設された支持台ヒンジ１２４とが回転軸１２６を介して回転可能に結合され、前記回転軸１２６に配設されたばね１２７の弾性力を用いて所定の方向に所定の角度だけ回転することにより、前記アイテム３００を投擲部１３０の外部に排出されるように投擲する。
【００５１】
また、前記投擲部１３０の一方の側には、投擲部結合孔１３２が設けられて復元手段１５０の末端と連結できるようにする。
【００５２】
前記ラッチ部１４０は、下部ハウジング１２０の第２の支持台１２５に回動可能に配設されて、前記上部ハウジング１１０が第２の形状に変形すると動作し、前記投擲部１３０が動作可能なようにロック解除する構成要素である。ラッチ部１４０は、ラッチ部胴体１４１と、回転軸１４２と、ナット１４３と、ばね１４４と、を備える。
【００５３】
前記ラッチ部胴体１４１には、棒状の一方の側に上部ハウジング１１０のレバー１１６と接触する第１のラッチ１４１’が配設され、他方の側には投擲部１３０の上部の一方の側と密着する第２のラッチ１４１”が配設される。
【００５４】
また、前記ラッチ部胴体１４１には、中央に回転軸１４２が突出しており、前記回転軸１４２が、第２の支持台１２５の第１の貫通孔１２５’に配設されてナット１４３を介して固定されることにより、前記ラッチ部胴体１４１は回動可能に配設され、ばね１４４の弾性力によって所定の位置に維持されるようにする。
【００５５】
前記復元手段１５０は、上部ハウジング１１０と投擲部１３０との間に連結され、第２の形状に変形した前記上部ハウジング１１０が第１の形状に復元される場合、前記投擲部１３０を引き寄せて元の位置に戻るようにする構成要素である。復元手段１５０の、一方の側は上部ハウジング１１０のハウジング結合孔１１７と連結され、他方の側は第２の貫通孔１２５”を貫通して投擲部１３０の投擲部結合孔１３２に連結される。
【００５６】
本実施形態においては、前記復元手段１５０としてワイヤを採用して説明するが、
本発明はこれに限定されるものではなく、上部ハウジング１１０と投擲部１３０との間に任意のギア比を有するギア束を配設するか、または、上部ハウジング１１０と投擲部１３０との間をリンクする機構に変更して配設してもよい。
【００５７】
前記ロック部１６０は、上部ハウジング１１０の第２の収納部１１１”に配設され、ロック解除手段２００が付着すると動作してロック状態が解除され、上部ハウジング１１０が第１の形状から第２の形状になるように前記上部ハウジング１１０を下部ハウジング１２０から分離する構成要素である。ロック部１６０は、ロック部胴体１６１と、摺動部１６３と、磁石部１６５と、ばね１６６と、を備える。
【００５８】
前記ロック部胴体１６１は、四角形状の部材であって、ロック解除手段２００と磁石部１６５が密着すると第２の収納部１１２の上下方向に移動して変位するものであり、ロック部突起１６１’と、ロック部傾斜面１６２と、を備える。
【００５９】
前記ロック部突起１６１’は、ロック部胴体１６１から所定の長さだけ突設され、補助ハウジング１２８に配設されたガイド１２９のガイド貫通孔１２９'と噛合して前記ロック部胴体１６１が上下方向に移動できるように前記ロック部胴体１６１を案内する。
【００６０】
前記ロック部傾斜面１６２は、ロック部胴体１６１の両側壁に配設され、摺動部斜面１６４と噛合して前記ロック部胴体１６１が下方に向かって移動すると、前記摺動部傾斜面１６４が加圧されることにより、摺動部１６３が水平方向に移動できるようにする。
【００６１】
前記摺動部１６３は、一方の側にロック部胴体１６１のロック部傾斜面１６２と噛合する摺動部傾斜面１６４が配設され、他方の側に下部ハウジング１２０の係止溝１２２と噛合する摺動部ラッチ１６３'が所定の長さだけ突設される。前記ロック部胴体１６１の上下方向の移動につれて摺動部１６３が水平移動してロック状態が解除されることにより、上部ハウジング１１０が第１の形状または第２の形状に変形できるようにする。
【００６２】
前記摺動部ラッチ１６３’は、第１及び第２の収納部１１１'、１１１”の間に穿孔された貫通孔１１５を介して下部ハウジング１２０の係止溝１２２と噛合してロック状態を維持できるようにし、また、前記係止溝１２２から外れてロック状態を解除できるようにする。
【００６３】
前記磁石部１６５は、ロック部胴体１６１の下部に配設され、ロック解除手段２００と磁場を形成して、前記ロック部胴体１６１が上下方向に移動できるように駆動力を提供する。
【００６４】
前記ばね１６６は、摺動部１６３が所定の位置（例えば、上部ハウジング１１０が第１の形状を維持する位置）に維持されるように弾性力を提供し、ロック部胴体１６１が磁石部１６５の磁場により下方に向かって移動すると、前記摺動部１６３によって圧縮される。また、ばね１６６は、前記磁石部１６５による磁場が消滅すると、弾性力によって伸長して前記ロック部胴体１６１及び摺動部１６３が元の位置に戻るようにする。
【００６５】
本実施形態においては、前記ロック部１６０が水平方向に摺動移動してロック状態を解除するようにしたが、
本発明はこれに限定されるものではなく、前記ロック部１６０が垂直方向に移動してロック状態を解除するように変更して実施してもよいことは、当業者にとって明らかである。
【００６６】
前記ロック解除手段２００は、円形状または多角形状の部材であって、表面には任意のキャラクタ、数字または任意のゲーム情報などが印刷され、前記表面にコーティング層が形成された紙製またはプラスチック樹脂製のカードである。
【００６７】
また、前記ロック解除手段２００の内部には、ロック部１６０に配設されている磁石部１６５と磁場を形成して接着できるような磁性体が配設される。
【００６８】
前記アイテム３００は、動物、物品、人形のうちのいずれか１つであるキャラクタ部材であって、アイテム胴体３１０と、前記アイテム胴体３１０に多数のアイテムヒンジ３１１、３３１、３３２、３５１、３６１を介して折り畳み可能に配設された多数の回動部材と、前記回動部材がアイテムヒンジ３１１、３３１、３３２、３５１、３６１を中心として拡開されるように弾性力を提供する多数の第４のばね３３１ａと、前記アイテム３００が、折り畳み状態の第１の形状と拡開状態の第２の形状とのうちいずれか一方を維持するように変位するアイテムロック部３７０と、を備える。
【００６９】
前記回動部材は、アイテム頭３２０、アイテム第１の翼３３０、アイテム第２の翼３４０、アイテム脚３５０及びアイテム尻尾３６０であって、前記回動部材がアイテム胴体３１０を中心としてアイテム第１〜第５のヒンジ３１１、３３１、３３２、３５１、３６１を介して回転して折り畳み状態の第１の形状及び拡開状態の第２の形状に変形する。
【００７０】
すなわち、前記アイテム３００には、アイテム胴体３１０を中心として、上部には、アイテム第１のヒンジ３１１を介してアイテム頭３２０が回転可能に配設され、前記アイテム胴体３１０の両側には、アイテム第２のヒンジ３３１を介してアイテム第１の翼３３０が回転可能に配設され、前記アイテム第１の翼３３０の末端には、アイテム第３のヒンジ３３２を介してアイテム第２の翼３４０が回転可能に配設され、前記アイテム胴体３１０の下部の両方には、アイテム第４のヒンジ３５１を介してアイテム脚３５０が回転可能が配設され、前記アイテム胴体３１０の下部の後側には、アイテム第５のヒンジ３６１を介してアイテム尻尾３６０が回転可能に配設される。
【００７１】
また、前記アイテム第１〜第５のヒンジ３１１、３３１、
３３２、３５１、３６１には、各回動部材に弾性力を提供する第４のばね３３１ａが配設される。
【００７２】
前記アイテムロック部３７０は、アイテム胴体３１０に配設されており、一方の側は前記アイテム胴体３１０の外部に突出し、他方の側はロック部係止突起３７０ａを介してアイテム第１の翼３３０に形成されているアイテム係止突起３３０ａと噛合して配設され、前記ロック部係止突起３７０ａとアイテム係止突起３３０ａとが噛合状態を維持できるように弾性力を提供する第５のばね３７１を備える。
【００７３】
次いで、第１の実施形態に係る変形玩具の動作過程について説明する。
【００７４】
まず、アイテム３００は、アイテム頭３２０、アイテム第１の翼３３０、アイテム第２の翼３４０、アイテム脚３５０及びアイテム尻尾３６０がアイテム胴体３１０を中心として折り畳まれると、ロック部係止突起３７０ａとアイテム係止突起３３０ａとが噛合して第１の形状のアイテム３００になる。
【００７５】
上部ハウジング１１０の第１のハウジング１１０’が開放された第２の形状の玩具１００において、前記第１の形状のアイテム３００を下部ハウジング１２０に配設された投擲部１３０に据え置き、前記第１のハウジング１１０’を図面上で反時計方向に回動させる。
【００７６】
前記第１のハウジング１１０’が回転すると、レバー１１６に連結されている復元手段１５０が引き寄せられ、前記復元手段１５０の他端に連結されている投擲部１３０が図面上で時計方向に回動する。
【００７７】
前記第１のハウジング１１０’がさらに回転すると、補助レバー１１８が投擲部１３０の上面と接触して前記投擲部１３０が完全に回転できるようになり、ラッチ部１４０の第２のラッチ１４１’により前記投擲部１３０が固定される。
【００７８】
一方、前記第１のハウジング１１０’が完全に回転すると、ロック部１６０の摺動部ラッチ１６３'は、下部ハウジング１２０の係止溝１２２と噛合してロック状態になり、玩具１００が第１の形状を維持できる。
【００７９】
その後、玩具１００を走行させて任意の位置にあるロック解除手段２００が前記玩具１００の下部に位置すると、前記ロック解除手段２００に内在された磁性体とロック部１６０に配設された磁石部１６５との間に磁場が形成されて相互引力が作用する。
【００８０】
前記ロック解除手段２００と磁石部１６５との間に発生した磁力により、ロック部胴体１６１が図面上で下方に向かって移動して摺動部１６３が水平移動する。
【００８１】
前記摺動部１６３が水平移動すると、摺動部ラッチ１６３’は係止溝１２２から外れてロックが解除され、上部ハウジング１１０の第１のハウジング１１０’は、ばね１１４の弾性力によって回転軸１１３を中心として図面上で時計方向に回転して第１の形状から第２の形状に変形する。
【００８２】
前記第１のハウジング１１０’が上方に回転して開放されると、レバー１１６は、回転軸１１３を中心として回転する間にラッチ部１４０の第１のラッチ１４１'を加圧して前記ラッチ部１４０を動作させる。
【００８３】
前記ラッチ部１４０の動作により第２のラッチ１４１”がロック解除されると、投擲部１３０は、ばね１２７の弾性力によって回転軸１２６を中心として回転し、所定の範囲で回転が終了されると、慣性力によって前記投擲部１３０に収納されているアイテム３００が前方に投擲される。
【００８４】
前方に投擲されたアイテム３００は床面に落下し、アイテムロック部３７０が加圧されるか、または、衝撃によってロック部係止突起３７０ａとアイテム係止突起３３０ａとがロックされることにより、第１の形状のアイテムが第２の形状のアイテムに変形する。
【００８５】
したがって、第１の形状の玩具にロック解除手段が付着すると、玩具が第２の形状に変形して内在されたアイテムが排出されることにより、遊びへの興味をさらに高めることができる。
【００８６】
また、アイテムの形状も第１の形状から第２の形状に変形するため、遊びをさらに楽しむことができる。
【００８７】
（第２の実施形態）
図１１は、本発明の第２の実施形態に係る変形玩具の構成を示す分解斜視図であり、図１２は、本発明の第２の実施形態に係る変形玩具の動作過程を示す例示図であり、図１３は、本発明の第２の実施形態に係る変形玩具の動作過程を示す他の例示図である。
【００８８】
図１１〜図１３に示すように、本発明の第２の実施形態に係る変形玩具１００ａは、ロック状態である複数のロック部１４０ａ、１５０ａが玩具の第１の形状を維持して玩具１００ａに内在されたアイテム３００が固定されるようにし、前記ロック部１４０ａ、１５０ａに任意のロック解除手段２００が付着してロック状態から解除されると、前記玩具１００ａが第１の形状から第２の形状に変形して、前記玩具１００ａに内在されたアイテム３００の固定状態が解除されて前記アイテム３００が外部に排出されるようにしたものである。本発明の第２の実施形態に係る変形玩具１００ａは、上部ハウジング１１０ａと、下部ハウジング１２０ａと、加圧部１３０ａと、第１のロック部１４０ａと、第２のロック部１５０ａと、吐出部１６０ａと、ロック解除手段２００と、アイテム３００と、を備える。
【００８９】
前記上部ハウジング１１０ａは、玩具の外形を形成する構成要素であって、人形、任意の漫画キャラクタ、動物形状または公知の自動車形状などの様々な形状を玩具の外形とすることができ、内部に収納空間が形成され、回転自在するか駆動力を提供する駆動手段と連動した複数の車輪を備える。
【００９０】
前記下部ハウジング１２０ａは、上部ハウジング１１０ａの下部にアイテムの収納空間が形成された構成要素であって、下部胴体部１２１ａに収納部１２２ａと、加圧部１３０ａと、第１のロック部１４０ａと、第２のロック部１５０ａと、吐出部１６０ａとが配設される。
【００９１】
また、前記下部ハウジング１２０ａの一方の側には磁石貫通孔１２１ａ’が形成され、第２のロック部１５０ａの磁石１５４を貫通可能にすることにより、ロック解除手段２００との付着がよりよく行われるようにする。
【００９２】
前記下部胴体部１２１ａは、板状の部材であって、アイテム３００が収納される収納部１２２ａと、車輪が配設される車輪配設溝１２３ａと、第２のロック部１５０ａを配設するための第２のロック部ガイド１２４ａと、第１のロック部１４０ａを配設するための第１のロック部ヒンジ１２５ａと、加圧部貫通孔１２６ａと、を備える。
【００９３】
前記収納部１２２ａは、一方の側に開口部が形成された部材であって、内側には、一面または両面に人形、キャラクタ、文字、数字、図形、文様のうちの少なくとも１つが印刷されたカード、人型または任意のキャラクタのうちのいずれか１つからなるアイテム３００が収納される。
【００９４】
前記加圧部１３０ａは、下部ハウジング１２０ａの収納空間を覆い、加圧部回転軸１３１ａを介して前記下部ハウジング１２０ａの下部に形成された加圧部ヒンジ１１０ａ’と回転可能に配設され、前記上部および下部ハウジング１１０ａ、１２０ａが第１の形状から第２の形状に変形するように、ばね１３２ａの弾性力により床面を加圧する板状の部材からなる。
【００９５】
また、前記加圧部１３０ａは、下部ハウジング１２０ａからロック解除されて分離される場合、加圧部のヒンジ１１０ａ’を中心として回転して床面を加圧するように弾性力を提供する第１のばね１３２ａと、第２のロック部１５０ａと噛合して前記加圧部１３０ａが下部ハウジング１２０ａの底面に密着してロック状態を維持する係止溝１３３ａと、前記加圧部回転軸１３１ａから所定の長さだけ延長されて、前記加圧部１３０ａが回転する場合、前記加圧部１３０ａの回転位置で第１のロック部ラッチ１４３ａを加圧する加圧部ラッチ１３４ａと、を備える。
【００９６】
また、前記加圧部１３０ａは、第２のロック部１５０ａが係止溝１３３ａから外れてロック状態が解除されると、第１のばね１３２ａの弾性力によって前記加圧部１３０ａが底部を加圧して、第１の形状の第１及び第２のハウジング１１０ａ、１２０ａを反転させることにより、第２の形状になるようにする。
【００９７】
また、前記加圧部１３０ａは、第１及び第２のハウジング１１０、１２０ａが反転して第２の形状になると、収納部１２２ａに収納されているアイテム３００を吐出できるように前記収納部１２２の開口部を開放させる。
【００９８】
前記第１のロック部１４０ａは、下部ハウジング１２０ａの一方の側に移動可能に配設され、前記加圧部１３０ａの回転位置に応じて移動して吐出部１６０ａをロックまたはロック解除する構成要素であって、前記下部ハウジング１２０ａの第１のロック部ヒンジ１２５ａに回転可能に結合される第１のロック部の回転軸１４１ａと、前記第１のロック部回転軸１４１ａの一方の側に所定の長さだけ延設された第１のロック部係止突起１４２ａと、前記第１のロック部回転軸１４１ａの他方の側に所定の長さだけ延長されて、前記第１のロック部係止突起１４２ａが第１のロック部回転軸１４１ａを中心として回転できるように加圧する第１のロック部ラッチ１４３ａと、前記第１のロック部係止突起１４２ａが吐出部１６０ａと噛合してロック状態を維持し、前記吐出部１６０ａ
とのロック状態が解除された場合に元の位置に戻るように弾性力を提供する第１のロック部ばね１４４ａと、を備える。
【００９９】
本実施形態においては、第１のロック部１４０ａを、加圧部１３０ａの回転に応じて第１のロック部回転軸１４１ａを中心として回転変位するように構成したが、
本発明はこれに限定されるものではなく、第１のロック部１４０ａを摺動移動可能に配設し、前記加圧部１３０ａの回転に応じて一方の側へ摺動移動するように構成することにより、摺動変位するように設計を変更して配設してもよい。
【０１００】
前記第２のロック部１５０ａは、下部ハウジング１２０ａに配設されて前記加圧部１３０ａを固定し、ロック解除手段２００との磁力による付着またはロック解除手段２００との物理的な接触によりロック解除位置に変位して、前記加圧部１３０ａが回転するようにロックが解除される構成要素である。第２のロック部１５０ａは、第２のロック部胴体１５１ａと、摺動部１５２ａと、第２のロック部突起１５３ａと、第２のロック部傾斜部１５４ａと、摺動部傾斜部１５５ａと、摺動部ラッチ１５６ａと、摺動部ばね１５７ａと、磁石１５８ａと、を備える。
【０１０１】
前記第２のロック部胴体１５１ａは、下部胴体部１２０ａの第２のロック部ガイド１２４ａの長手方向に形成された長孔の貫通孔１２４ａ’に沿って上下方向に移動する構成要素であって、第２のロック部突起１５３ａと、第２のロック部傾斜部１５４ａと、を備える。
【０１０２】
前記第２のロック部突起１５３ａは、第２のロック部胴体１５１ａから所定の長さだけ突設されて貫通孔１２４ａ’に挿入され、前記第２のロック部胴体１５１ａを、第２のロック部ガイド１２４ａに沿って移動するように案内する。
【０１０３】
前記第２のロック部傾斜部１５４ａは、第２のロック部胴体１５１ａの両方の側壁に配設され、前記第２のロック部胴体１５１ａが下方に向かって移動するとグレード部１５２ａと噛合して前記摺動部１５２ａが水平方向に移動するように加圧し、前記摺動部１５２ａと当接する部分には傾斜面１５４ａ’が形成される。
【０１０４】
前記摺動部１５２ａは、一方の側が第２のロック部胴体１５１ａと噛合し、他方の側は加圧部１３０ａの係止溝１３３ａと噛合し、前記第２のロック部胴体１５１ａの上下方向への移動に応じて水平方向に移動することにより、前記加圧部１３０ａがロック状態を維持し、また、ロック状態が解除されるようにしたもので、摺動部傾斜部１５５ａと、摺動部ラッチ１５６ａと、摺動部ばね１５７ａと、を備える。
【０１０５】
前記摺動部傾斜部１５５ａは、摺動部１５２ａの一方の側に一対が上方に向かって突設されて前記第２のロック部胴体１５１ａと噛合する。摺動部傾斜部１５５ａは、好ましくは、前記第２のロック部胴体１５１ａの第２のロック部傾斜部１５４ａと密着するように上部に軽斜面１５５ａが形成される。
【０１０６】
前記摺動部ラッチ１５６ａは、摺動部傾斜部１５５ａの他方の側に所定の長さだけ延長された棒状の部材であって、末端部は、係止溝１３３ａに挿入されて加圧部１３０ａがロック状態を維持するように支持し、また、前記係止溝１３３ａから外れて前記加圧部１３０ａがロック解除されるようにする。
【０１０７】
また、前記摺動部のラッチ１５６ａの末端は、テーパー形状を呈しており、前記摺動部ラッチ１５６ａが係止溝１３３ａに簡単に挿入できるようにし、また、前記係止溝１３３ａから簡単に外れるようにする。
【０１０８】
前記摺動部ばね１５７ａは、摺動部ラッチ１５６ａと第２のロック部ガイド１２４ａとの間に配設されて、摺動部１５２ａが第２のロック部胴体１５１ａの一方の側で所定の位置を維持するように弾性力を提供する。
【０１０９】
すなわち、第２のロック部胴体１５１ａが下方に向かって移動して摺動部１５２ａが図１２の図面上で左方向に向かって移動すると、摺動部ばね１５７ａは圧縮され、前記第２のロック部胴体１５１ａに下方に発生していた力が消滅すると、前記摺動部ばね１５７ａが圧縮された弾性力により、前記スアド部１５２ａが、図１２の図面上で右方向に向かって移動して元の位置に戻り、前記第２のロック部胴体１５１ａも上方に向かって移動して元の位置に戻る。
【０１１０】
前記磁石１５８ａは、第２のロック部胴体１５１ａの底面に配設され、ロック解除手段２００を接着する構成要素であって、好ましくは、ネオジム磁石からなり、前記ロック解除手段２００に配設された磁性体または金属体に、磁場を介して付着し、前記第２のロック部胴体１５１ａが下方に向かって移動できるようにする。
【０１１１】
本実施形態においては、前記ロック解除手段２００との磁力による付着によりロック解除位置に変位する構成を実施形態として説明したが、本発明はこれに限定されるものではなく、後述する第８の実施形態の構成に示すように、第２のロック部が下部ハウジングの底面方向に所定の長さだけ突設され、加圧部１３０ａが下部ハウジングから分離されて第２の形状になるように、ロック解除手段との物理的な接触によりロック解除位置に変位する構成に変更して実施することで、第２のロック部１５０ａとロック解除手段２００との物理的な接触によりロック解除位置に変位するように構成してもよい。
【０１１２】
前記吐出部１６０ａは、下部ハウジング１２０ａの収納空間に配設され、前記加圧部１３０ａによって上部及び下部ハウジング１１０ａ、１２０ａが反転して第２の形状になると、前記第１のロック部１４０ａとの噛合状態が解除されてアイテム３００を外部に排出するように加圧する構成要素であって、前記加圧部１３０ａがロック解除されて収納部１２２ａの開口部が開放されると、前記収納部１２２ａに収納されているアイテム３００が外部に排出されるように板状の吐出部１６０ａを加圧する吐出部ばね１６１ａを備える。
【０１１３】
すなわち、前記吐出部１６０ａは、一方の側が第１のロック部係止突起１４２ａと噛合して収納部１２２ａの内側の任意の位置でロック状態を維持し、前記第１のロック部係止突起１４２ａとのロック状態が解除されると、吐出部ばね１６１ａの弾性力によって前記収納部１２２ａの内部で上下方向に昇降することになる。
【０１１４】
次いで、第２の実施形態に係る変形玩具の動作過程について説明する。
【０１１５】
玩具１００ａを裏返した状態で加圧部１３０ａの一方の側を前記玩具１００ａの底面から分離し、回転軸１３１ａを中心として回転させて収納部１２２ａの開口部を開放した後、収納対象であるアイテム３００を前記収納部１２２ａに収納する。
【０１１６】
このとき、前記収納部１２２ａに配設された吐出部１６０ａを押して、吐出部１６０ａが第１のロック部係止突起１４２ａと噛合してロック状態になるまで移動させると、吐出部ばね１６１ａが加圧された状態になる。
【０１１７】
前記吐出部１６０ａがロック状態になって収納部１２２ａにアイテム３００の据置が完了すると、加圧部１３０ａを回転させて下部ハウジング１２０ａの底面と密着するように前記収納部１２２の開口部を覆う。
【０１１８】
前記加圧部１３０ａが下部ハウジング１２０ａの底面に密着すると、加圧部１３０ａの係止溝１３３ａは、摺動部ラッチ１５６ａと噛合したロック状態になり、前記加圧部１３０ａが下部ハウジング１２０ａの底面に固定された状態を維持する。
【０１１９】
前記加圧部１３０ａの固定が完了すると、玩具１００ａを正常に床面に据え置いた後、使用者は、玩具１００ａを対向位置に配置したロック解除手段２００の方向に走行させる。
【０１２０】
玩具１００ａが走行する過程でロック解除手段２００の上面を通っていくと、玩具１００ａの下部に配設された磁石１５８ａが前記ロック解除手段２００に付着する。
【０１２１】
前記ロック解除手段２００の内部に配設された磁性体または金属板は、前記磁石１５８ａの磁場による引力により前記磁石１５８に付着する。前記ロック解除手段２００と磁石１５８ａの付着により、第２のロック部胴体１５１ａは下方に向かって移動し、前記第２のロック部胴体１５１ａの移動につれてスアド部１５２ａが水平方向に移動して、加圧部１３０ａのロック状態が解除される。
【０１２２】
また、摺動部１５２ａが移動して加圧部１３０ａがロック解除されると、玩具１００ａの下部から分離された前記加圧部１３０ａが、第１のばね１３２ａの弾性力によって回転して床面を加圧する。
【０１２３】
前記第１のばね１３２ａによって加圧部１３０ａが約９０ °程度回動すると、玩具１００ａが直立状態となり、前記加圧部１３０ａが９０°以上に回動すると、玩具１００ａは完全に反転した状態となる。
【０１２４】
一方、加圧部ラッチ１３４ａが回転して第１のロック部のラッチ１４３ａの末端を加圧すると、前記第１のロック部ラッチ１４３ａは、第１のロック部回転軸１４１ａを中心として回転し、第１のロック部係止突起１４２ａを上方に回転させて、第１のロック部１４０ａを吐出部１６０ａから分離することにより、吐出部１６０ａのロック状態を解除する。
【０１２５】
前記吐出部１６０ａがロック解除されると、収納部１２２ａの上部が開放され、前記収納部１２２ａに収納されたアイテム３００は、圧縮状態の吐出部ばね１６１ａの弾性力によって収納部１２２ａの上方に発射されて排出される。
【０１２６】
したがって、第１の形状の玩具にロック解除手段が付着すると、玩具が第２の形状に変形して内在されたアイテムが排出されることにより、遊びへの興味をさらに高めることができる。
【０１２７】
（第３の実施形態）
図１４は、本発明の第３の実施形態に係る変形玩具を示す斜視図であり、図１５は、本発明の第３の実施形態に係る変形玩具の構成を示す分解斜視図であり、図１６は、本発明の第３の実施形態に係る変形玩具の構造を示す断面図である。
【０１２８】
図１４〜図１６に示すように、本発明の第３の実施形態に係る玩具１００ｂは、ロック状態である複数のロック部１４０ｂ、１５０ｂが玩具の第１の形状を維持し、玩具１００ｂに内在されたアイテム３００が固定されるようにし、前記ロック部１４０ｂ、１５０ｂが任意のロック解除手段２００と付着してロック状態から解除されると、前記玩具１００ｂが第１の形状から第２の形状に変形して前記玩具１００ｂに内在されたアイテムの固定状態を解除して前記アイテムが外部に排出されるようにしたものである。本発明の第３の実施形態に係る玩具１００ｂは、上部ハウジング１１０ｂと、下部ハウジング１２０ｂと、加圧部１３０ｂと、第１のロック部１４０ｂと、第２のロック部１５０ｂと、吐出部１６０ｂと、を備える。
【０１２９】
第３の実施形態に係る変形玩具１００ｂの構成は、第２の実施形態に係る変形玩具１００ａの構成と比較して、上部ハウジング１１０ｂに配設された複数のフェンダ部１１１ｂ及び第２のロック部１５０ｂの構成が相違する。
【０１３０】
前記複数のフェンダ部１１１ｂは、内部に収納空間が形成された上部ハウジング１１０ｂの両側に水平方向に回転可能に配設され、第２のロック部１５０ｂが動作してロック状態が解除されると、前記上部ハウジング１１０ｂから分離されて加圧部１３０ｂを動作可能なようにする構成要素であって、前記フェンダ部１１１ｂの胴体の一方の側にフェンダ貫通孔１１２ｂをそれぞれ穿孔してフェンダヒンジ１２７ｂを介して下部ハウジング１２０b に回転可能に結合され、フェンダロック溝１１１ｂ’と、フェンダラッチ１１１b”と、を備える。
【０１３１】
前記フェンダ貫通孔１１２ｂは、フェンダ部１１１ｂの胴体の一方の側にそれぞれ縦方向に形成されて、前記フェンダ部１１１ｂが下部ハウジング１２０ｂのフェンダヒンジ１２７ｂにハンダ回転軸１１３ｂを介してそれぞれ結合され、フェンダばね１１４ｂの弾性力によって前記フェンダ部１１１ｂが下部ハウジング１２０ｂを中心として左右方向に回転する。
【０１３２】
前記フェンダロック溝１１１ｂ’は、フェンダ部１１１ｂの胴体の他方の側に配設された溝部であって、第２のロック部１５０ｂの第２のロック部ラッチ１５２ｂと噛合して前記フェンダ部１１１ｂが上部ハウジング１１０ｂの左右側にそれぞれ固定されるようにする。
【０１３３】
前記フェンダラッチ１１１ｂ”は、フェンダ貫通孔１１２ｂの一方の側に突設され、加圧部１３０ｂの係止溝１３３ｂと噛合して前記加圧部１３０ｂがロックまたはロック解除されるようにする。
【０１３４】
未説明符号１１７ｂは、玩具１００ｂの前輪であって、フェンダ部１１１ｂに回転軸１１７ｂ’を介してそれぞれ配設される。
【０１３５】
前記下部ハウジング１２０ｂは、上部ハウジング１１０ｂの下部にアイテムの収納空間が形成された構成要素であって、下部胴体部１２１ｂに、収納１２２ｂと、加圧部１３０ｂと、第１のロック部１４０ｂと、第２のロック部１５０ｂと、吐出部とが配設される。
【０１３６】
前記下部胴体部１２１ｂは、板状の部材であって、アイテム３００（図１１参照）が収納される収納部１２２ｂと、車輪が配設される車輪配設溝１２３ｂと、第２のロック部ガイド１２４ｂと、第１のロック部１４０ｂを配設するための第１のロック部ヒンジ１２５ｂと、加圧部貫通孔１２６ｂと、複数のフェンダヒンジ１２７ｂと、を備える。
【０１３７】
前記第２のロック部ガイド１２４ｂは、下部胴体部１２１ｂの上面に向かって所定の長さだけ突出して第２のロック部胴体１５１ｂを定着させ、前記第２のロック部胴体１５１ｂを、前記ロック部ガイド１２４ｂに沿って上下方向に移動できるように案内する。
【０１３８】
前記フェンダヒンジ１２７ｂは、下部ハウジング１２０ｂの上面の両側に所定の長さ突出して対向配設され、フェンダ部１１１ｂをフェンダ貫通孔１１２ｂ及びフェンダ回転軸１１３ｂを介して下部ハウジング１２０ｂに回転可能に結合させることで、ロック解除時に前記フェンダ部１１１ｂを回転できるように支持する。
【０１３９】
前記加圧部１３０ｂは、下部ハウジング１２０ｂの収納空間を覆い、前記下部ハウジング１２０ｂの下部に加圧部回転軸１３１ｂを介して回転可能に配設され、前記上部および下部ハウジング１１０ｂ、１２０ｂが第１の形状から第２の形状に変形するようにばね１３２ｂの弾性力によって床面を加圧する。
【０１４０】
また、前記加圧部１３０ｂの他方の側の両端には係止溝１３３ｂが形成されて、係止溝１３３ｂは、フェンダ部１１１ｂのフェンダラッチ１１１ｂ”と噛合して前記加圧部１３０ｂが固定されるように支持し、また、ロック解除されて分離されるようにする。
【０１４１】
前記第１のロック部１４０ｂは、下部ハウジング１２０ｂの一方の側に移動可能に配設され、前記加圧部１３０ｂの位置に応じて移動して吐出部をロックまたはロック解除する。
【０１４２】
前記第２のロック部１５０ｂは、下部ハウジング１２０ｂに配設され、フェンダ部１１１ｂ及び加圧部１３０ｂを所定の位置で固定されるように支持し、ロック解除手段２００との磁力による付着またはロック解除手段２００との物理的な接触によりロック解除位置に変位して、前記フェンダ部１１１ｂ及び加圧部１３０ｂが回転するようにロック解除する構成要素であって、第２のロック部胴体１５１ｂと、第２のロック部ラッチ１５２ｂと、第２のロック部ばね１５３ｂと、磁石１５４ｂと、を備える。
【０１４３】
前記第２のロック部胴体１５１ｂは、第２のロック部ガイド１２４ｂに上下方向に移動可能に配設され、上面には、フェンダ部１１１ｂのフェンダロック溝１１１ｂ’と噛合して固定される第２のロック部のラッチ１５２ｂが形成される。
【０１４４】
前記第２のロック部のラッチ１５２ｂは、フェンダ部１１１ｂとの噛合または分離により、前記フェンダ部１１１ｂが上部ハウジング１１０ｂの前側の両方に固定されるようにロック状態を維持するか、または、前記フェンダ部１１１ｂが上部ハウジング１１０ｂから分離されてロック解除状態になるようにする。
【０１４５】
前記第２のロック部ばね１５３ｂは、第２のロック部胴体１５１ｂと下部ハウジング１２０ｂとの間に配設され、前記第２のロック部胴体１５１ｂが所定の位置に維持されるように弾性力を提供する構成要素である。第２のロック部ばね１５３ｂは、ロック解除手段２００に磁石１５４が付着すると、前記第２のロック部胴体１５１ｂが下方に向かって移動して圧縮され、前記ロック解除手段２００と磁石１５４ｂが分離されると、前記第２のロック部胴体１５１ｂが上方に向かって移動して元の位置に戻るように弾性力を提供する。
【０１４６】
前記磁石１５４ｂは、第２のロック部胴体１５１ｂの下部に配設され、ロック解除手段２００と付着するための磁場による引力が作用すると、前記第２のロック部胴体１５１ｂを下方に向かって移動させる構成要素であって、好ましくは、ネオジム磁石からなる。
【０１４７】
本実施形態においては、前記ロック解除手段２００との磁力により付着することでロック解除位置に変位する構成を実施形態として説明したが、本発明はこれに限定されるものではなく、後述する第８の実施形態の構成と同様に、第２のロック部１５０ｂが下部ハウジングに底面方向に向かって所定の長さだけ突設され、加圧部１３０ｂが下部ハウジングから分離されて第２の形状になるように前記ロック解除手段との物理的な接触によりロック解除位置に変位する構成に変更して実施することで、第２のロック部１５０ｂとロック解除手段２００が物理的な接触によりロック解除位置に変位するように構成してもよい。
【０１４８】
前記吐出部は、下部ハウジング１２０ｂの収納空間に配設され、前記加圧部１３０ｂによって上部及び下部ハウジング１１０ｂ、１２０ｂが反転して第２の形状になると、前記第１のロック部１４０ｂとの噛合状態が解除されて前記アイテムが外部に排出されるように加圧し、第２の実施形態の吐出部と同様に構成される。
【０１４９】
次いで、本発明の第３の実施形態に係る玩具の動作過程について説明する。
【０１５０】
フェンダ部１１１ｂと加圧部１３０ｂが固定された状態で、玩具１００ｂを床面に据え置いた後に、玩具１００ｂの向かい側に配置したロック解除手段２００方向に走行させると、ロック解除手段２００と磁石１５４ｂが付着して、第２のロック部１５０ｂは下方向に向かって移動して第２のロック部ばね１５３ｂが圧縮され、第２のロック部ラッチ１５２ｂがフェンダ１１１ｂのフェンダロック溝１１１ｂ’から外れてロック解除される。
【０１５１】
前記フェンダ部１１１ｂがロック解除されると、それぞれフェンダヒンジ１２７ｂを中心として左右方向に回転して広がり、前記フェンダ部１１１ｂが左右方向に回転して広がることにより、前記フェンダ部１１１ｂのフェンダラッチ１１１ｂ”は、加圧部１３０ｂの係止溝１３３ｂから外れて前記加圧部１３０ｂもロック解除される。
【０１５２】
前記加圧部１３０ｂがロック解除されると、玩具１００ｂの下部から分離された前記加圧部１３０ｂが第１のばね１３２ｂの弾性力によって回転して床面を加圧することになる。
【０１５３】
したがって、第１の形状の玩具にロック解除手段が付着すると、玩具が第２の形状に変形して内在されたアイテムを排出することにより、遊びへの興味をさらに高めることができる。
【０１５４】
（第４の実施形態）
図１７は、本発明の第４の実施形態に係る変形玩具の構成を示す分解斜視図であり、図１８は、本発明の第４の実施形態に係る変形玩具の動作過程を示す斜視図であり、図１９は、本発明の第４の実施形態に係る変形玩具の動作過程を示す例示図であり、図２０は、本発明の第４の実施形態に係る変形玩具の動作過程を示す他の例示図であり、図２１は、本発明の第４の実施形態に係る変形玩具の動作過程を示すまた他の例示図である。
【０１５５】
図１７〜図２１に示すように、本発明の第４の実施形態に係る玩具１００ｃは、ロック状態であるロック部１６０ｃが玩具の第１の形状を維持して玩具１００ｃに内在されたアイテム３００が固定されるようにし、前記ロック部１６０ｃが任意のロック解除手段２００と付着してロック状態から解除されると、前記玩具１００ｃが第１の形状から第２の形状に変形し、前記内在されたアイテム３００の固定状態が解除されて前記アイテム３００が外部に排出されるようにしたもので、ハウジング１１０ｃと、加圧部１２０ｃと、投擲部１４０ｃと、ロック部１６０ｃと、を備える。
【０１５６】
前記ハウジング１１０ｃは、玩具１００ｃの外形を形成する構成要素であって、内部には、収納空間として、アイテム３００が配設される第１の収納部１１１ｃと、ロック部１６０ｃが配設される第２の収納部１１２ｃとが形成される。前記ハウジング１１０ｃの下部の一方の側には、加圧部１２０ｃが回転可能に結合されるハウジングヒンジ１１４ｃと、前記ハウジングヒンジ１１４ｃから所定の長さだけ延長されたハウジングラッチ１１５ｃとが形成される。
【０１５７】
前記第１の収納部１１１ｃ及び第２の収納部１１２ｃは、それぞれ分離された収納空間として形成され、前記第１及び第２の収納部１１１ｃ、１１２ｃの間を貫通する貫通孔１１３ｃが形成される。
【０１５８】
前記ハウジングラッチ１１５ｃは、ハウジングヒンジ１１４ｃから突出して投擲部１４０ｃの一方の側面を加圧してロック状態を維持する構成要素であって、加圧部１２０ｃがハウジング１１０ｃから分離されると、前記加圧部１２０ｃが任意の回転位置に到達するまで投擲部１４０ｃが回転しないようにロック状態を維持し、前記加圧部１２０ｃが任意の回転位置に到達すると、前記投擲部１４０ｃをロック解除する。
【０１５９】
すなわち、前記ハウジングラッチ１１５ｃは、加圧部１２０ｃがハウジング１１０から分離されて回転すると、投擲部１４０ｃを所定の時間経過した後に回転させる。
【０１６０】
また、前記ハウジング１１０ｃは、人形、任意の漫画キャラクタ、動物形状または公知の自動車形状などの様々な形状を外形とすることができ、回転自在するか、または、ぜんまい仕掛け、モータなどの駆動力を提供する駆動手段（図示せず）と連動した複数の車輪を備える。
【０１６１】
前記加圧部１２０ｃは、板状の部材であって、ハウジング１１０ｃの下部に配設されたハウジングヒンジ１１４ｃ及び第１の回転軸１３０ｃを介して回転可能に結合され、前記第１の回転軸１３０ｃに配設された第１のばね１３１ｃの弾性力によって床面を加圧して、前記ハウジング１１０ｃが第１の形状から第２の形状になるように直立または反転するようにし、加圧部第１のヒンジ１２１ｃと、加圧部第２のヒンジ１２２ｃと、加圧部係止溝１２３ｃと、アイテム支持部１２４ｃと、を備える。
【０１６２】
前記加圧部第１のヒンジ１２１ｃは、板状の加圧部１２０ｃの一方の側に配設され、ハウジング１１０ｃに前記加圧部１２０ｃがハウジングヒンジ１１４ｃ及び第１の回転軸１３０ｃを介して回転可能に結合されるようにする。
【０１６３】
また、前記加圧部第１のヒンジ１２１ｃには、前記ハウジング１１０ｃと加圧部１２０ｃとの間に弾性力を提供する第１のばね１３１ｃが配設される。
【０１６４】
前記加圧部第２のヒンジ１２２ｃは、加圧部１２０ｃの他方の側に配設されて、投擲部１４０ｃが前記加圧部１２０ｃに第２の回転軸１５０ｃを介して回転可能に結合されるようにする。
【０１６５】
また、前記加圧部第２のヒンジ１２２ｃには、前記加圧部１２０ｃと投擲部１４０ｃとの間に弾性力を提供する第２のばね１５１ｃが配設される。
【０１６６】
前記加圧部係止溝１２３ｃは、加圧部第２のヒンジ１２２ｃに穿孔された溝部であって、ロック部１６０ｃと噛合して加圧部１２０ｃをハウジング１１０ｃの下部に位置するように固定する。
【０１６７】
前記アイテム支持部１２４ｃは、加圧部１２０ｃの長手方向の両側に一対が配設されて、投擲部１４０ｃ上に据え置かれるアイテム３００の両側面と密着して前記アイテム３００が遊動することを防止するように加圧部１２０ｃを支持し、前記アイテム支持部１２４ｃの内側には、前記アイテム３００と接触する少なくとも１つの係止突起１２５ｃが形成される。
【０１６８】
前記投擲部１４０ｃは、板状の部材であって、加圧部１２０ｃの一方の側に配設された加圧部第２のヒンジ１２２ｃ及び第２の回転軸１５０ｃを介して回転可能に配設される。投擲部１４０ｃは、前記第２の回転軸１５０ｃに配設される第２のばね１５１ｃの弾性力によって前記加圧部１２０ｃ及びアイテム３００を加圧して、前記アイテム３００がハウジング１１０ｃの外部に投擲されるようにするものであり、投擲部ヒンジ１４１ｃと、湾曲部１４２ｃと、を備える。
【０１６９】
前記投擲部ヒンジ１４１ｃは、板状の投擲部１４０ｃの一方の側に配設されて、投擲部１４０ｃが第２の回転軸１５０ｃを介して加圧部第２のヒンジ１２２ｃと回転可能に結合されるようにする。
【０１７０】
前記湾曲部１４２ｃは、投擲部１４０ｃの胴体の両側に内側に湾曲されて、加圧部１２０ｃの両側に配設されたアイテム支持部１２４ｃが投擲部１４０ｃを通過して前記投擲部１４０ｃ上に据え置かれるアイテム３００ｃを支持できるようにする。
【０１７１】
前記ロック部１６０ｃは、ハウジング１１０ｃの第２の収納部１１２ｃに配設され、ロック解除手段２００との磁力による接着またはロック解除手段２００との物理的な接触によりロック解除位置に変位して、前記ハウジング１１０ｃの底面で所定の位置を維持するロック状態の加圧部１２０ｃが回転するようにロック解除させる構成要素であって、ロック部胴体１６１ｃと、摺動部１６３ｃと、磁石部１６５ｃと、ばね１６６ｃと、を備える。
【０１７２】
前記ロック部胴体１６１ｃは、四角形状の部材であって、ロック解除手段２００と磁石部１６５ｃが密着すると、第２の収納部１１２ｃの上下方向に移動して変位するもので、ロック部突起１６１c’と、ロック部傾斜面１６２ｃと、を備える。
【０１７３】
前記ロック部突起１６１c’は、ロック部胴体１６１ｃから所定の長さだけ突設され、第２の収納部１１２ｃのガイド１１６ｃと噛合して前記ロック部胴体１６１ｃを上下方向に移動できるように案内する。
【０１７４】
前記ロック部傾斜面１６２ｃは、ロック部胴体１６１ｃの両側壁に配設され、摺動部傾斜面１６４ｃと噛合して前記ロック部胴体１６１ｃが下方に向かって移動すると、摺動部１６３ｃを、水平方向に移動できるように加圧する。
【０１７５】
前記摺動部１６３ｃは、一方の側にロック部胴体１６１ｃのロック部傾斜面１６２ｃと噛合する摺動部傾斜面１６４ｃが配設され、他方の側に加圧部１２０ｃの加圧部係止溝１２３ｃと噛合する摺動部ラッチ１６３ｃ’が配設されて、前記ロック部胴体１６１ｃの上下方向への移動につれて摺動部１６３ｃが水平移動して加圧部１２０ｃがロックまたはロック解除されるように変位する。
【０１７６】
前記摺動部ラッチ１６３ｃ’は、第１のおよび第２の収納部１１１ｃ、１１２ｃの間に穿孔された貫通孔１１３ｃを介して加圧部係止溝１２３ｃと噛合する。
【０１７７】
前記磁石部１６５ｃは、ロック部胴体１６１ｃの下部に配設され、ロック解除手段２００と磁場を形成して前記ロック部胴体１６１ｃが上下方向に移動するように駆動力を提供する。
【０１７８】
前記ばね１６６ｃは、摺動部１６３ｃが所定の位置（例えば、加圧部１２０ｃがロック状態を維持する位置）に維持されるように弾性力を提供し、ロック部胴体１６１ｃが磁石部１６５ｃの磁場により下方に向かって移動すると前記摺動部１６３ｃによって圧縮され、前記磁石部１６５ｃによる磁場が消滅すると伸長して前記ロック部胴体１６１ｃ及び摺動部１６３ｃが元の位置に戻るようにする。
【０１７９】
本実施形態においては、前記ロック部１６０ｃが水平方向に摺動移動して加圧部１２０ｃをロック解除する構成を採用したが、
本発明はこれに限定されるものではなく、前記ロック部１６０ｃが垂直方向に移動して前記加圧部１２０ｃのロック状態を解除する構成に変更して実施してもよいことは、当業者にとって明らかである。
【０１８０】
また、本実施形態においては、前記ロック部１６０ｃにロック解除手段２００が磁力により付着することによりロック解除位置に変位する構成を実施形態として説明したが、
本発明はこれに限定されるものではなく、後述する第８の実施形態の構成と同様に、ロック部１６０ｃがハウジングに底面方向に所定の長さだけ突設され、加圧部１２０ｃがハウジングから分離されて第２の形状になるようにロック解除手段２００との物理的な接触によりロック解除位置に変位する構成に変更して実施して、ロック部１６０ｃとロック解除手段２００が物理的な接触によりロック解除位置に変位する構成を採用してもよい。
【０１８１】
次いで、第４の実施形態に係る変形玩具の動作過程について説明する。
【０１８２】
アイテム３００を、アイテム支持部１２４ｃによって支持されるように加圧部１２０ｃとヒンジ結合された投擲部１４０ｃの上面に据え置き、ハウジング１１０ｃの第１の収納部１１１ｃに挿入する。
【０１８３】
このとき、ロック部１６０ｃは、貫通孔１１３ｃを介して摺動部ラッチ１６３ｃ’が突出された状態であり、前記摺動部ラッチ１６０ｃ’は、第１の収納部１１１ｃの底面に向かって移動した加圧部１２０ｃの加圧部係止溝１２３ｃと噛合してアイテム３００がハウジングの内部に収納された状態を維持できるようにする。
【０１８４】
その後、玩具１００ｃを走行させ、任意の位置にあるロック解除手段２００が前記玩具１００ｃの下部に位置すると、前記ロック解除手段２００に内在された磁性体とロック部１６０ｃに配設された磁石部１６５ｃとの間に磁場が形成されて引力が作用する。
【０１８５】
前記ロック解除手段２００と磁石部１６５ｃとの間に発生した磁力により、ロック部胴体１６１ｃは図面上の下方に向かって移動して摺動部１６３ｃが水平移動する。
【０１８６】
前記摺動部１６３ｃが水平移動すると、摺動部ラッチ１６３ｃ’は、加圧部係止溝１２３ｃから外れてロック解除され、加圧部１２０ｃは第１のばね１３１ｃの弾性力によって床面を加圧してハウジングが上方に回転し、第１の形状から第２の形状に変形して直立または完全に裏返される反転状態となる。
【０１８７】
前記ハウジング１１０ｃが上方に回転して開放されると、投擲部１４０ｃを加圧していたハウジングラッチ１１５ｃも一緒に上方に回転し、前記ハウジング１１０ｃが所定の回転範囲を超えると、ハウジングラッチ１１５ｃが前記投擲部１４０ｃから分離して前記投擲部１４０ｃが第２のばね１５１ｃの弾性力によってアイテム３００を前方に投擲する。
【０１８８】
したがって、第１の形状の玩具にロック解除手段が付着すると、玩具が第２の形状に変形して内在されたアイテムが排出されるようにすることにより、遊びへの興味をさらに高めることができる。
【０１８９】
（第５の実施形態）
図２２は、本発明の第５の実施形態に係る変形玩具を示す斜視図であり、図２３は、本発明の第５の実施形態に係る変形玩具の投擲用アイテムの構造を示す断面図であり、図２４は、本発明の第５の実施形態に係る変形玩具の動作過程を示す例示図である。
【０１９０】
図２２〜図２４に示すように、本発明の第５の実施形態に係る変形玩具１００ｄは、第４の実施形態に係る玩具１００ｃと同じ構成要素を有し、投擲部１４０ｄ及びアイテム３００’の一部の構成が相違するため、前記相違する構成についてのみ説明し、同じ構成要素についての重複する説明は省略する。
【０１９１】
前記投擲部１４０ｄは、板状の部材であって、加圧部１２０ｃの一方の側に配設されたが加圧部第２のヒンジ１２２ｃ及び第２の回転軸１５０ｃ（図１７参照）を介して回転可能に配設される。投擲部１４０ｄは、前記第２の回転軸１５０ｃに配設される第２のばね１５１ｃ（図１７参照）の弾性力によって前記加圧部１２０ｃ及びアイテム３００’を加圧して前記アイテム３００'がハウジング１１０ｃの外部に投擲されるようにするものであり、投擲部ヒンジ１４１ｄと、投擲部磁性体１４３ｄと、を備える。
【０１９２】
前記投擲部磁性体１４３ｄは、投擲部１４０ｄに内在されるか、または投擲部１４０ｄの表面に配設されて、アイテム３００’に配設されたロック部３７０'がロック状態を維持できるように磁場を形成する。
【０１９３】
本実施形態に係る前記アイテム３００は、アイテムロック部３７０’の構成が、第１の実施形態に係るアイテム３００におけるアイテムロック部の構成と相違する。
【０１９４】
前記アイテムロック部３７０’は、アイテム胴体３１０に配設され、一方の側にロック部係止突起３７０ａ’を介してアイテム第１の翼３３０’に形成されているアイテム係止突起３３０ａと噛合し、前記ロック部の係止突起３７０ａ’とアイテム係止突起３３０ａ’は、アイテム磁石部３８０’と、投擲部１４０ｄに配設された投擲部磁性体１４３ｄとの間に形成される磁力によって噛合状態を維持する。
【０１９５】
前記アイテム３００’が投擲部１４０ｄから分離されて投げられると、前記アイテム磁石部３８０'と投擲部磁性体１４３ｄとの間の磁場は消滅してしまい、伸長された第５のばね３７１’が収縮し、ロック部係止突起３７０ａ’が移動してアイテム係止突起３３０ａ’から分離されて、ロック状態が解除される。
【０１９６】
したがって、前記アイテム３００’は、投擲部１４０ｄから分離されて投げられると、第１の形状から第２の形状に変形する。
【０１９７】
（第６の実施形態）
図２５は、本発明の第６実施形態に係る変形玩具を示す斜視図であり、図２６は、本発明の第６の実施形態に係る変形玩具の投擲用アイテムの構造を示す断面図であり、図２７は、本発明の第６の実施形態に係る変形玩具の動作過程を示す例示図である。
【０１９８】
図２５〜図２７に示すように、本発明の第６の実施形態に係る玩具１００ｅは、加圧部１２０ｅ、投擲部１４０ｅ及びアイテム３００”の構成が、第４実施形態に係る玩具１００ｃの加圧部、投擲部及びアイテムの構成と相違する。
【０１９９】
前記加圧部１２０ｅには、加圧部１２０ｅの上面に向かって所定の長さだけ延長された突起部１２６ｅが形成され、突起部１２６ｅがアイテム３００”と結合されると、前記アイテム３００”がロック状態である第１の形状を維持し、前記アイテム３００”が分離されると、ロック解除されて前記アイテム３００”が第２の形状に変形するようにする。
【０２００】
前記投擲部１４０ｅは、投擲部１４０ｅの胴体を貫通する投擲部貫通孔１４４ｅを備え、前記加圧部１２０ｅの突起部１２６ｅが投擲部１４０ｅを貫通することによりアイテム３００”と噛合できるようにする。
【０２０１】
前記アイテム３００”は、アイテム胴体を有し、前記アイテム胴体に、アイテム第１の翼３３０”を含む多数の回動部材が多数のアイテムヒンジ３３１”を介して折り畳み可能に配設され、
前記回動部材がアイテムヒンジ３３１”を中心に拡開するように弾性力を提供する第４のばね３３１ａ”が配設され、前記回動部材、例えば、一対のアイテム第１の翼３３０”上には、互いに重なり合う位置の一部に同心軸を有する結合孔３３０ａ”が穿孔される。
【０２０２】
前記結合孔３３０ａ”は、加圧部１２０ｅの突起部１２６ｅと結合されてアイテム３００”がロック状態である第１の形状を維持できるようにし、前記突起部１２６ｅから分離されると、ロック解除されて第４のばね３３１ａ”の弾性力によって第２の形状に変形できるようにする。
【０２０３】
したがって、前記アイテム３００”は、投擲部１４０ｅから分離されて投げられると、第１の形状から第２の形状に変形することになる。
【０２０４】
（第７の実施形態）
図２８は、本発明の第７の実施形態に係る変形玩具を示す斜視図であり、図２９は、本発明の第７の実施形態に係る変形玩具の投擲用アイテムの構造を示す断面図であり、図３０は、本発明の第７の実施形態に係る変形玩具の動作過程を示す例示図である。
【０２０５】
図２８〜図３０に示すように、本発明の第７の実施形態に係る玩具１００ｆは、投擲部１４０ｆの構成が、第４の実施形態に係る玩具１００ｃにおける投擲部の構成と相違する。
【０２０６】
前記投擲部１４０ｆには、上面にアイテムロック部３７０を加圧する投擲部突起１４５ｆが形成されて、アイテム３００が加圧部１２０ｃから分離されると、第１の形状から第２の形状に変形できるようにする。
【０２０７】
すなわち、加圧部１２０、投擲部１４０ｆ及びアイテム３００がハウジング１１０ｃの内部に収納されると、前記アイテム３００は、加圧部１２０のアイテム支持部１２４ｃ及び係止突起１２５ｃによって投擲部１４０ｆから所定の距離だけ離れた位置に固定され、前記加圧部１２０ｃ及び投擲部１４０ｆは、ハウジングラッチ１１５ｃ及びロック部１６０ｃによって固定される。
【０２０８】
その後、玩具１００ｆを走行させ、任意の位置にあるロック解除手段２００が前記玩具１００ｆの下部に位置すると、前記ロック解除手段２００に内在された磁性体とロック部１６０ｆに配設された磁石部１６５ｆとの間に磁場が形成されて引力が作用することにより、ロック部胴体１６１ｃは図面上の下方に移動して摺動部１６３ｃが水平移動することになる。
【０２０９】
前記摺動部１６３ｃが水平移動すると、摺動部ラッチが加圧部係止溝１２３ｃから外れてロック解除され、加圧部１２０ｃがばねの弾性力によって床面を加圧してハウジング１１０ｃが上方に回転し、第１の形状から第２の形状に変形して直立または完全に裏返される反転状態となる。
【０２１０】
このとき、投擲部１４０ｆを加圧していたハウジングラッチ１１５ｃも一緒に上方に回転し、前記ハウジング１１０ｃが所定の回転範囲を超えると、前記投擲部１４０ｆから分離されて前記投擲部１４０ｆは、ばねの弾性力によって回転し、アイテムロック部３７０を打撃すると同時に、アイテム３００を加圧部１２０ｃのアイテム支持部１２４ｃ及び係止突起１２５ｃから分離させて前方に投擲する。
【０２１１】
したがって、第７の実施形態に係る玩具１００は、アイテム３００が投擲部１４０ｆから分離されて投擲されると、すぐに第１の形状から第２の形状に変形する。
【０２１２】
（第８の実施形態）
図３１は、本発明の第８の実施形態に係る変形玩具を示す分解斜視図であり、図３２は、本発明の第８の実施形態に係る変形玩具の動作過程を示す断面図であり、図３３は、本発明の第８の実施形態に係る変形玩具の動作過程を示す他の断面図であり、図３４は、本発明の第８の実施形態に係る変形玩具の動作過程を示す斜視図である。
【０２１３】
図３１〜図３４に示すように、本発明の第８の実施形態に係る玩具１００ｇは、ロック状態であるロック部１６０が玩具の第１の形状を維持して玩具１００に内在されたアイテム３００が固定されるようにし、前記ロック部１６０が任意のロック解除手段２００と付着してロック状態が解除されると、前記玩具１００が第１の形状から第２の形状に変形して前記内在されたアイテム３００の固定状態を解除させて前記アイテム３００が外部に排出されるようにしたもので、上部ハウジング１１０と、下部ハウジング１２０と、投擲部１３０と、ラッチ部１４０と、復元手段１５０と、ロック部１６０ｇと、磁石部１７０ｇと、ロック解除手段２００と、アイテムと、を備える。
【０２１４】
第８の実施形態に係る玩具１００ａは、ロック部１６０ｇ及び磁石部１７０ｇの構成が、第１の実施形態に係る玩具１００におけるロック部及び磁石部の構成と相違する。
【０２１５】
前記ロック部１６０ｇは、上部ハウジング１１０に底面方向に所定の長さだけ突設され、前記上部ハウジング１１０が下部ハウジング１２０から分離されて第２の形状になるように、前記ロック解除手段２００と物理的に接触してロック解除位置に変位する構成要素である。ロック部１６０ｇは、ロック部胴体１６１ｇと、ロック部胴体の回転軸１６２ｇと、リンク部１６と、摺動部I６４ｇと、結合孔１６５ｇと、ばね１６６ｇと、を備える。
【０２１６】
前記ロック部胴体１６１ｇは、棒状の部材であって、ロック解除手段２００との物理的な接触が発生すると、ロック部胴体の回転軸１６２ｇを中心に回転してリンク部１６３ｇを介して連結された摺動部１６４ｇを水平移動させる。
【０２１７】
また、前記ロック部胴体１６１ｇは、一方の端部が下部ハウジング１２０の補助ハウジング１２８に配設された貫通孔１２８’を貫通して配設され、前記一方の端部には、ロック解除手段２００と接触する傾斜面１６１ｇが形成されるため、前記ロック解除手段２００との接触をより容易にする。
【０２１８】
前記ロック部胴体の回転軸１６２ｇは、ロック部胴体１６１ｇの両側に向かって所定の長さだけ突出して、前記ロック部胴体１６１ｇが回転できるように下部ハウジング１２０の補助ハウジング１２８に配設されたガイド部１２９の結合孔１２９”に回転可能に結合される。
【０２１９】
前記リンク部１６３ｇは、ロック部胴体１６１ｇの他方の端部の両側に向かって所定の長さだけ突出して摺動部１６４ｇと回転可能に連結される。
【０２２０】
前記摺動部１６４ｇは、結合孔１６を介してロック部胴体１６１ｇのリンク部１６３ｇと連結され、ロック部胴体１６１ｇの正回転方向または逆回転方向に応じて右方向または左方向に水平移動してロック状態を解除させることにより、上部ハウジング１１０が第１の形状または第２の形状に変形できるようにする。
【０２２１】
前記ばね１６６ｇは、摺動部１６４ｇが所定の位置でロック状態を維持できるように弾性力を提供する構成要素であって、前記摺動部１６４ｇが所定の位置へ水平移動してロック状態が解除されると、その後、元の位置に戻るように弾性力を提供する。
【０２２２】
前記磁石部１７０ｇは、補助ハウジング１２８に固定配設されて物理的に接触したロック解除手段２００と磁場を形成し、前記形成された磁場を介して前記ロック解除手段２００が前記上部ハウジング１１０の底面に付着するように磁力を提供する。
【０２２３】
次いで、本発明の第８の実施形態に係る変形玩具１００ｇの動作過程について説明する。
【０２２４】
玩具１００ｇを走行させて任意の位置にあるロック解除手段２００が前記玩具１００の下部に位置すると、前記ロック解除手段２００の前側及び上面と、前記玩具１００ｇの下部に向かって所定の長さだけ突出したロック部１６０ｇとに物理的な接触が発生する。
【０２２５】
前記物理的な接触により前記ロック部１６０ｇが玩具の走行方向の後側に回転すると、リンク部１６３ｇを介して連結された摺動部１６４ｇは、図面上で左方向に水平移動することにより、係止溝１２２から外れてロック解除される。
【０２２６】
上部ハウジング１１０の第１のハウジング１１０’は、ばね１１４の弾性力によって回転軸１１３を中心に図面上で時計方向に回転し、第１の形状から第２の形状に変形する。
【０２２７】
前記第１のハウジング１１０’が上方に回転して開放されると、レバー１１６は、回転軸１１３を中心に回転する間に、ラッチ部１４０の第１のラッチ１４１を加圧して前記ラッチ部１４０を動作させる。
【０２２８】
前記ラッチ部１４０の動作により第２のラッチ１４１”がロック解除されると、投擲部１３０は、ばね１２７の弾性力によって回転軸１２６を中心に回転し、所定の範囲で回転が終了すると、慣性力により前記投擲部１３０に収納されているアイテム３００は、前方に投擲される。
【０２２９】
一方、磁石部１７０ｇは、ロック解除手段２００に内在された磁性体との間に磁場を形成して相互引力を発生させ、前記ロック解除手段２００を上部ハウジング１１０の底面に付着させる。
【０２３０】
以上、本発明の好適な実施形態を挙げて本発明について説明したが、当該技術分野における熟練された当業者であれば、下記の特許請求の範囲に記載の本発明の思想及び領域から逸脱しない範囲内において本発明を種々に修正及び変更することができるということが理解できる筈である。
【０２３１】
また、本発明の実施形態について説明する過程において、図示の線の太さや構成要素の大きさなどは説明の明瞭性及び便宜性のために誇張されて示されていてもよく、上述した用語は、本発明における機能を考慮して定義されたターミノロジであって、これらは、使用者や運用者の意図または慣例によって異なるため、これらの用語に関する解釈は、本明細書の全般に亘っての内容に基づいて行われるべきである。
【符号の説明】
【０２３２】
１００  玩具
１１０  上部ハウジング
１１０’第１のハウジング
１１０”第２のハウジング
１１１’第１の収納部
１１１”第２の収納部
１１２’第１のハウジングヒンジ
１１２”第２のハウジングヒンジ
１１３  回転軸
１１４  ばね
１１５  貫通孔
１１６  レバー
１１７  ハウジング結合孔
１１８  補助レバー
１２０  下部ハウジング
１２１  下部ハウジング胴体
１２２  係止溝
１２３  第１の支持台
１２４  支持台ヒンジ
１２５  第２の支持台
１２６  回転軸
１２７  ばね
１２８  補助ハウジング 
１２９  ガイド
１２９’ガイド貫通孔
１３０  投擲部
１３１  投擲部ヒンジ
１３２  投擲部結合孔
１４０  ラッチ部
１４１  ラッチ部胴体
１４１’第１のラッチ
１４１”第２のラッチ
１４２  回転軸
１４３  ナット
１４４  ばね
１５０  復元手段
１６０  ロック部
１６１  ロック部胴体
１６１’ロック部突起
１６２  ロック部傾斜面
１６３  摺動部
１６３’摺動部ラッチ
１６４  摺動部傾斜面
１６５  磁石部
１６６  ばね
２００  ロック解除手段
３００  アイテム
３１０  アイテム胴体
３１１  アイテム第１のヒンジ
３２０  アイテム頭
３３０  アイテム第１の翼
３３０ａアイテム係止突起
３３１  アイテム第２のヒンジ
３３１ａばね
３３２  アイテム第３のヒンジ
３４０  アイテム第２の翼
３５０  アイテム脚
３５１  アイテム第４のヒンジ
３６０  アイテム尻尾
３６１  アイテム第５のヒンジ
３７０  アイテムロック部
３７０ａロック部係止突起
３７１  ばね
【図１】
0006464285.tif 000002
【図２】
0006464285.tif 000003
【図３】
0006464285.tif 000004
【図４】
0006464285.tif 000005
【図５】
0006464285.tif 000006
【図６】
0006464285.tif 000007
【図７】
0006464285.tif 000008
【図８】
0006464285.tif 000009
【図９】
0006464285.tif 000010
【図１０】
0006464285.tif 000011
【図１１】
0006464285.tif 000012
【図１２】
0006464285.tif 000013
【図１３】
0006464285.tif 000014
【図１４】
0006464285.tif 000015
【図１５】
0006464285.tif 000016
【図１６】
0006464285.tif 000017
【図１７】
0006464285.tif 000018
【図１８】
0006464285.tif 000019
【図１９】
0006464285.tif 000020
【図２０】
0006464285.tif 000021
【図２１】
0006464285.tif 000022
【図２２】
0006464285.tif 000023
【図２３】
0006464285.tif 000024
【図２４】
0006464285.tif 000025
【図２５】
0006464285.tif 000026
【図２６】
0006464285.tif 000027
【図２７】
0006464285.tif 000028
【図２８】
0006464285.tif 000029
【図２９】
0006464285.tif 000030
【図３０】
0006464285.tif 000031
【図３１】
0006464285.tif 000032
【図３２】
0006464285.tif 000033
【図３３】
0006464285.tif 000034
【図３４】
0006464285.tif 000035